(57)【要約】      （修正有）【課題】動作部材の規制を解除するように規制部材を状態変化させるために十分なエネルギー出力を得て、安定した錠操作を行うことがことができる錠装置を備えた什器を提供する。【解決手段】利用者が施解錠操作をするための操作部材７と、操作部材７の操作に依り施錠位置及び解錠位置の間の動作経路中を動作する動作部材１８と、操作部材７の操作に伴って前記動作部材１８を規制する規制状態又は規制を解除する規制解除状態に変化する規制部材１９とを有する錠装置を備えた什器であって、操作部材７の操作ストロークの少なくとも一部のストロークによりエネルギーを蓄積するエネルギー蓄積手段４８と、エネルギー蓄積手段４８に蓄積されたエネルギーを瞬時に放出する瞬時放出手段４８とを備える発電手段６５を有するとともに、少なくとも解錠操作時において、規制部材１９は、発電手段６５の発電電力を利用して状態変化が可能である。【選択図】図３
2014091913.tif 000002
【特許請求の範囲】
【請求項１】
利用者が施解錠操作をするための操作部材と、該操作部材の操作に依り施錠位置及び解錠位置の間の動作経路中を動作する動作部材と、前記操作部材の操作に伴って前記動作部材を規制する規制状態又は規制を解除する規制解除状態に変化する規制部材とを有する錠装置を備えた什器であって、
前記操作部材の操作ストロークの少なくとも一部のストロークによりエネルギーを蓄積するエネルギー蓄積手段と、該エネルギー蓄積手段に蓄積されたエネルギーを瞬時に放出する瞬時放出手段とを備える発電手段を有するとともに、少なくとも解錠操作時において、前記規制部材は、前記発電手段により発電された電力を利用して状態変化が可能であることを特徴とする錠装置を備えた什器。
【請求項２】
前記錠装置は、少なくとも解錠操作時において、前記動作部材が前記規制部材に規制されることなく前記解錠位置に達するように、前記動作部材の移動速度を制限する制限手段を有することを特徴とする請求項１に記載の錠装置を備えた什器。
【請求項３】
前記錠装置は、利用者による操作に基づいて施解錠の認証を行う認証手段と、該認証手段による認証結果に基づいて前記規制部材を駆動させる電気回路の導通状態および非導通状態を切り換えるスイッチ部とを有していることを特徴とする請求項１または２に記載の錠装置を備えた什器。
【請求項４】
前記認証手段は、前記什器の収納部に備えられているとともに、前記収納部の前面部に配設された太陽電池から電力供給を受けるようになっていることを特徴とする請求項３に記載の錠装置を備えた什器。
【請求項５】
前記什器は、机の天板の下方または横脇に配置され、前記太陽電池は、前記収納部の前面部に、前記太陽電池の受光面が少なくとも前記天板と平行な位置まで回動自在とする回動手段を介して設けられていることを特徴とする請求項４に記載の錠装置を備えた什器。
【発明の詳細な説明】
【技術分野】
【０００１】
本発明は、利用者が施解錠操作をするための操作部材と、該操作部材の操作に依り施錠位置及び解錠位置の間の動作経路中を動作する動作部材と、前記操作部材の操作に伴って前記動作部材を規制する規制状態又は規制を解除する規制解除状態に変化する規制部材とを有する錠装置を備えた什器に関する。
【背景技術】
【０００２】
従来、利用者による手動等の操作によって動作部材の規制または規制解除がなされる錠装置においては、外部からの電力の供給を要することなく、利用者による手動等の操作によって発電された電力を使用して施錠または解錠する錠装置が開発されている。例えば、認証錠装置（錠装置）を備えたキャビネットとして、施錠または解錠に使用される電力を確保するために、キャビネットの引手部（操作部材）を利用者が操作することにより発電がなされる発電装置が備えられており、利用者が特に、利用者自身の手動操作により発電が行われていることを、意識することなくキャビネットを施解錠できるようにしたものが知られている（例えば、特許文献１参照）。
【先行技術文献】
【特許文献】
【０００３】
【特許文献１】特開２００８−１５６９７３号公報（第１４頁、第１５図）
【発明の概要】
【発明が解決しようとする課題】
【０００４】
しかしながら、特許文献１に記載の認証錠装置（錠装置）の発電装置（発電手段）にあっては、引手部（摘み部）の操作により回転する回転軸部が蓄力可動部材（エネルギー蓄積手段）と連係されており、蓄力可動部材が蓄力位置から待機位置に向けてコイルバネの付勢力により移動する際に、蓄力可動部材の伝達爪が発電部の歯車部に係合して、この歯車部を回転させるようになっており、その後、伝達爪の係合が外れて、歯車部が慣性で自由回転されることで発電部にて発電が行われるようになっている。即ち、引手部が利用者によって引かれた際にコイルバネが延び、利用者の手が引手部から離れた際のコイルバネの復元力によって、発電部の歯車部を回転させるため、利用者が引手部を引く速度や利用者が引手部から手を離す際の離し具合によっては、発電量が不安定となり、例えば、利用者が引手部をゆっくり離した場合には、コイルバネの復元力が蓄力可動部材に充分に伝わらず、蓄力可動部材の移動速度が弱まり、認証錠装置を作動させるだけの有効な発電量を確保できなくなり、認証錠装置に対して意図した電力量を与えることができず、正確な錠操作ができなくなるという不具合が生じる虞がある。
【０００５】
本発明は、このような問題点に着目してなされたもので、動作部材の規制を解除するように規制部材を状態変化させるために十分なエネルギー出力を得て、安定した錠操作を行うことができる錠装置を備えた什器を提供することを目的とする。
【課題を解決するための手段】
【０００６】
前記課題を解決するために、本発明の錠装置を備えた什器は、
利用者が施解錠操作をするための操作部材と、該操作部材の操作に依り施錠位置及び解錠位置の間の動作経路中を動作する動作部材と、前記操作部材の操作に伴って前記動作部材を規制する規制状態又は規制を解除する規制解除状態に変化する規制部材とを有する錠装置を備えた什器であって、
前記操作手段の操作ストロークの少なくとも一部のストロークによりエネルギーを蓄積するエネルギー蓄積手段と、該エネルギー蓄積手段に蓄積されたエネルギーを瞬時に放出する瞬時放出手段とを備える発電手段を有するとともに、少なくとも解錠操作時において、前記規制部材は、前記発電手段により発電された電力を利用して状態変化が可能であることを特徴としている。
この特徴によれば、エネルギー蓄積手段により操作ストローク内でエネルギーを蓄え、そのエネルギーを瞬時放出手段により操作ストローク内で高い出力で瞬間的に放出することができるため、規制部材を状態変化させるために十分なエネルギー出力を得て、安定した錠操作を行うことができる。
【０００７】
本発明の錠装置を備えた什器は、
前記錠装置は、少なくとも解錠操作時において、前記動作部材が前記規制部材に規制されることなく前記解錠位置に達するように、前記動作部材の移動速度を制限する制限手段を有することを特徴としている。
この特徴によれば、操作部材の操作に起因して動作部材と規制部材とが各々所定タイミングで動作をなす場合であっても、制限手段により、解錠操作時において動作部材が規制部材に規制されることなく解錠位置に達するように動作部材の移動速度を制限することで、規制部材の所定動作が先に完了された後に、動作部材の所定動作が遂行されるように、動作部材の動作のタイミングが調整されるので、利用者よって想定以上の力や速さで操作部材が操作された場合であっても、確実に解錠できる。
【０００８】
本発明の錠装置を備えた什器は、
前記錠装置は、利用者による操作に基づいて施解錠の認証を行う認証手段と、該認証手段による認証結果に基づいて前記規制部材を駆動させる電気回路の導通状態および非導通状態を切り換えるスイッチ部とを有していることを特徴としている。
この特徴によれば、電気回路の開閉を切り換えることのみで、規制部材の状態を制御できるので、スイッチ部の電力消費を低減できる。
【０００９】
本発明の錠装置を備えた什器は、
前記認証手段は、前記什器の収納部に備えられているとともに、前記収納部の前面部に配設された太陽電池から電力供給を受けるようになっていることを特徴としている。
この特徴によれば、什器の外部から電力を供給することなく、太陽電池からの電力で認証手段を利用できる。
【００１０】
本発明の錠装置を備えた什器は、
前記什器は、机の天板の下方または横脇に配置され、前記太陽電池は、前記収納部の前面部に、前記太陽電池の受光面が少なくとも前記天板と平行な位置まで回動自在とする回動手段を介して設けられていることを特徴としている。
この特徴によれば、回動手段により太陽電池の受光面が机等の天板の上方部に向くように回動させることで、太陽電池の受光面をデスクライトや液晶モニタ等の机上光に向けて、太陽電池に効率よく受光させることができる。
【図面の簡単な説明】
【００１１】
【図１】実施例１における什器を示す斜視図である。
【図２】錠装置を示すシステム図である。
【図３】（ａ）は、施解錠装置を示す断面図であり、（ｂ）は、同じく底面図である。
【図４】（ａ）〜（ｅ）は、施解錠装置における解錠の手順を示す説明図である。
【図５】（ａ）は、規制状態の回転体を示す説明図であり、（ｂ）は、規制解除状態の回転体を示す説明図である。
【図６】（ａ）は、解錠操作の際に発電装置により出力されるピーク電流を示す図であり、（ｂ）は、施錠操作の際に発電装置により出力されるピーク電流を示す図である。
【図７】施解錠装置の電磁石と回転体の関係を示す説明図である。
【図８】施解錠装置の変形例１を備えた什器を示す斜視図である。
【図９】什器の扉の内部構造を示す部分断面図である。
【図１０】施解錠装置を示す平面図である。
【図１１】施解錠装置を示す回路図である。
【図１２】操作前の施解錠装置を示す正面図である。
【図１３】施錠時にコイルバネにエネルギーが蓄えられる状態を示す正面図である。
【図１４】施錠時にコイルバネにエネルギーが放出される状態を示す正面図である。
【図１５】解錠時に操作ギアの歯部が発電ギアの歯部に係合される状態を示す正面図である。
【図１６】解錠時にコイルバネにエネルギーが蓄えられる状態を示す正面図である。
【図１７】解錠時にコイルバネにエネルギーが放出される状態を示す正面図である。
【図１８】解錠状態の施解錠装置を示す正面図である。
【図１９】施錠状態の施解錠装置を示す正面図である。
【図２０】デッドボルトから回転体に加わる力の方向を示す説明図である。
【図２１】電磁石と回転体の関係を示す説明図である。
【図２２】（ａ）は、施解錠装置の変形例１における回転体を示す正面図である。（ｂ）は、施解錠装置の変形例１におけるバリエーション１の回転体を示す正面図である。（ｃ）は、同じくバリエーション２の回転体を示す正面図である。
【図２３】（ａ）は、施解錠装置の変形例２を示す正面図である。（ｂ）は、同じく解錠状態の施解錠装置を示す正面図である。（ｃ）は、同じく施錠状態の施解錠装置を示す正面図である。
【図２４】施解錠装置の変形例３における施錠状態を示す平面図である。
【図２５】解錠状態の発電装置を示す平面図である。
【図２６】施解錠装置の変形例４における施錠状態を示す平面図である。
【図２７】解錠状態の発電装置を示す平面図である。
【図２８】什器の扉の内部構造を示す部分断面図である。
【図２９】発電装置の変形例１における施錠前の態様を示す正面図である。
【図３０】発電磁性体の内部構造を示す部分断面図である。
【図３１】施錠時にコイルバネにエネルギーが蓄えられる状態を示す正面図である。
【図３２】施錠時にコイルバネにエネルギーが放出される状態を示す正面図である。
【図３３】施錠時に発電コイルに電流が生じる状態を示す正面図である。
【図３４】解錠時にコイルバネにエネルギーが蓄えられる状態を示す正面図である。
【図３５】解錠時にコイルバネにエネルギーが放出される状態を示す正面図である。
【図３６】解錠時に発電コイルに電流が生じる状態を示す正面図である。
【図３７】発電装置の変形例２に用いられる圧電素子を示す正面図である。
【図３８】発電装置を示す回路図である。
【図３９】施錠状態の発電装置を示す正面図である。
【図４０】解錠時にコイルバネにエネルギーが蓄えられる状態を示す正面図である。
【図４１】解錠時にコイルバネにエネルギーが蓄えられる状態を示す正面図である。
【図４２】解錠時に発電コイルに電流が生じる状態を示す正面図である。
【図４３】発電装置の変形例３を示す正面図である。
【図４４】（ａ），（ｂ）は、発電装置の作動を示す正面図である。
【図４５】（ａ），（ｂ）は、発電装置の変形例２により出力されるピーク電流を示す図である。
【図４６】（ａ），（ｂ）は、発電装置の変形例３により出力されるピーク電流を示す図である。
【図４７】発電装置の変形例４を示す平面図である。
【図４８】操作前の発電装置を示す正面図である。
【図４９】施錠時に操作ギアの歯部が発電ギアの歯部に係合される状態を示す正面図である。
【図５０】施錠時にコイルバネにエネルギーが蓄えられる状態を示す正面図である。
【図５１】施錠時にコイルバネにエネルギーが放出される状態を示す正面図である。
【図５２】解錠時に操作ギアの歯部が発電ギアの歯部に係合される状態を示す正面図である。
【図５３】解錠時にコイルバネにエネルギーが蓄えられる状態を示す正面図である。
【図５４】解錠時にコイルバネにエネルギーが放出される状態を示す正面図である。
【図５５】発電装置の変形例５を備える什器を示す正面図である。
【図５６】扉を示す背面図である。
【図５７】扉を背面側から見た状態を示す斜視図である。
【図５８】施錠状態の発電装置を示す平面図である。
【図５９】解除状態の発電装置を示す平面図である。
【図６０】発電装置の変形例６を示す正面図である。
【図６１】（ａ）〜（ｃ）は、エネルギー蓄積手段のバリエーション１を示す正面図である。
【図６２】エネルギー蓄積手段のバリエーション２を示す正面図である。
【図６３】（ａ），（ｂ）は、エネルギー蓄積手段のバリエーション３を示す正面図である。
【図６４】（ａ）〜（ｅ）は、瞬時放出手段のバリエーション４を示す正面図である。
【図６５】（ａ）〜（ｅ）は、瞬時放出手段のバリエーション５を示す正面図である。
【図６６】（ａ）〜（ｃ）は、瞬時放出手段のバリエーション６を示す正面図である。
【図６７】錠装置を備える什器を示す斜視図である。
【図６８】引出しの前面板の内部構造を示す部分断面図である。
【図６９】施解錠装置を示す平面図である。
【図７０】認証装置及び施解錠装置を示す回路図である。
【図７１】認証装置の変形例１を備えた什器を示す斜視図である。
【図７２】錠装置を備えた引出しを示す正面図である。
【図７３】認証装置の変形例１を備えた引出しを示す縦断側面図である。
【図７４】認証装置の変形例２を備えた引出しを示す縦断側面図である。
【図７５】太陽電池を備える什器を示す斜視図である。
【図７６】太陽電池を備える引出しの正面図である。
【図７７】太陽電池の配設の変形例１における引出しを示す側面図である。
【図７８】太陽電池の配設の変形例２におけるバリエーション１を示す側面図である。
【図７９】同じくバリエーション２を示す側面図である。
【図８０】同じくバリエーション３を示す側面図である。
【図８１】同じくバリエーション４を示す側面図である。
【図８２】同じくバリエーション５を示す側面図である。
【図８３】（ａ）は太陽電池の配設の変形例３における什器の使用態様を示す斜視図であり、（ｂ）は同じく配置された太陽電池の回動態様を示す斜視図である。
【図８４】太陽電池を備える引出しの正面図である。
【図８５】太陽電池の回動態様を示す側面断面図である。
【図８６】太陽電池の回動手段を示す斜視図である。
【図８７】（ａ），（ｂ）は、太陽電池の配設の変形例４における太陽電池の回動態様を示す側面断面図である。
【図８８】太陽電池の配設の変形例４における太陽電池の回動手段を示す斜視図である。
【図８９】太陽電池の配設の変形例５における太陽電池の回動態様を示す側面断面図である。
【図９０】太陽電池の配設の変形例５における太陽電池の回動手段を示す側面断面図である。
【発明を実施するための形態】
【００１２】
本発明に係る錠装置を実施するための形態を実施例に基づいて以下に説明する。
【実施例】
【００１３】
実施例に係る錠装置を備えた什器につき、図１から図７を参照して説明する。以下、図４及び図７の紙面左側を錠装置の正面側とし、図５の紙面下側を錠装置の正面側として説明する。
【００１４】
図１の符号１は、オフィス等に設置される什器（デスクサイドワゴン）である。この什器１は、上下三段の引出し２を備えている。また、これらの引出し２は、操作者（利用者）が引出し２を開閉するための取手部（図示略）をそれぞれ有する。なお、取手部は、ラッチ機構（図示略）と連係されており、引出し２が不用意に開放されることがラッチ機構によって防止される。また、取手部が操作者に把持されることで、ラッチ機構が解除されて、引出し２が開放可能になるようになっている。また、什器１の底面には、四隅にキャスタ（図示略）が設けられており、操作者が什器１を任意に移動させ、例えば机の下方や横脇等に配置できるようになっている。なお、什器１は、机と一体に形成されていてもよく、机として利用される天板を備えていてもよい。
【００１５】
本実施例に係る錠装置８は、図２に示すように、オフィス等の窓から入射される太陽光や屋内の天井照明による天井光、机上照明としてのデスクライトによる机上光等を利用して電力を発電する太陽電池３と、施解錠を認証する認証装置４と、認証装置４での認証結果に従って作動する作動機構と、引出し２を施解錠する施解錠装置６と、操作者が施解錠装置６を操作するための摘み部７（操作部材）と、操作者による摘み部７の操作によって発電する発電装置６５とから構成されており、この錠装置８は什器１の最上段の引出し２に備えられている。
【００１６】
以下、本実施例に係る錠装置８を構成する各装置および機構について説明する。
【００１７】
まず、太陽電池３は、その受光面が什器１の前方に向けられた状態で、引出し２の前面に配置されている。そして、この太陽電池３は、天井照明等を光源として、後述する認証装置４を作動させるために十分な電力が発電されるだけの受光面の面積を有している。なお、太陽電池３は、認証装置４の作動に要する電力が発電される限り、例えば什器１の側面や天板上に配置されていても構わない。
【００１８】
次に、認証装置４は、操作者が暗証番号を入力するためのテンキー９と、認証が許可されたか否かを操作者に報知するＬＥＤ表示灯１０と、テンキー９入力に基づく制御信号に応じて電気回路の導通状態および非導通状態を切り換えるスイッチ部３３と、これらが接続され認証判断等を行う制御部３５とを有している。なお、テンキー９およびＬＥＤ表示灯１０は、引出し２の前面板１１の前面に配設されている。
【００１９】
また、認証装置４は、太陽電池３から供給される電力によって作動する。この認証装置４は、電気回路による電気的な処理のみを行い、物理的な機械等の動作を行わないようにされているため、オフィス等の天井側に設置された室内灯などの微弱な光源を用いて太陽電池３により発電される微量な電力でも充分に作動するようになっている。なお、この認証装置４の電源として、後述する施解錠装置６のように、摘みやボタン等の操作部材を操作者が操作することによって発電が行われる機構を利用することにより、天井照明等が点灯できない停電時などであっても認証装置４が作動できるようにしてもよい。
【００２０】
そして、認証装置４の制御部３５は、テンキー９で操作者により入力された暗証番号が、予め登録されている暗証番号と一致するか否かを判断して、暗証番号と暗証番号が一致して認証を許可した場合には、後述する施解錠装置６の電気回路におけるスイッチ部３３をＯＮ状態（通電可能状態）に制御するとともに、ＬＥＤ表示灯１０を点灯させる。また、暗証番号と暗証番号が一致せず認証を拒否した場合には、スイッチ部３３をＯＦＦ状態（通電不可能状態）に制御するとともに、ＬＥＤ表示灯１０を点滅させる。
【００２１】
また、認証装置４の制御部３５には、太陽電池３で発電された電力を蓄えるバッテリ（図示略）が設けられている。なお、ＬＥＤ表示灯１０の代わりにインジケータなどの表示器を用いて、操作者に認証の可否を報知するようにしてもよい。
【００２２】
次に、施解錠装置６について詳述する。施解錠装置６は、前述した摘み部７によって操作者に操作される。また、施解錠装置６は、前述の認証装置４と連動されており、認証装置４により認証が許可された操作者のみが解錠できるようになっている。
【００２３】
図３に示すように、施解錠装置６は、最上段の引出し２に内蔵されており、引出し２の前面板１１の裏側に固定された取付金具６３をベースとしている。この取付金具６３には、後述する動作体１３（動作部材）を直線状に案内するために、凸状に形成された案内部１４が設けられている。この案内部１４に沿って動作体１３が左右方向（係合方向および非係合方向）に移動可能となっている。
【００２４】
そして、動作体１３は、什器１の左右方向に長辺部が伸ばされた長方形の板状に形成された胴体部１５を有しており、この胴体部１５には、什器１の側板１６に形成された受け座１７（被係合部）に係合される矩形状の係合部１８が胴体部１５の左方向に突出して形成されているとともに、後述する回転体１９に接触される台形状の接触部２０が胴体部１５の右方向に突出して形成されている。
【００２５】
また、動作体１３は、後述する操作ギア２１の操作ピン２２が係合されて、操作者が動作体１３を左右方向に操作するための操作孔２３を備えている。この操作孔２３は、略９０度の円弧状に形成された弧状部２４と、この弧状部２４の一端から連続して円弧の中心方向に向けて直線状に形成された線状部２５とを有している。そして、操作ピン２２が操作孔２３の線状部２５に係合されている状態で、操作者が摘み部７を反時計回りに回転させることで、操作ギア２１の回転に伴って動作体１３が左方向に移動される一方で、操作者が摘み部７を時計回りに回転させることで、動作体１３が右方向に移動されるようになっている。
【００２６】
また、摘み部７は、図３に示すように、正面視で略円形状をなし、前方に突出し左右方向に延設され操作者に把持される把持部２６が形成されている。また、摘み部７の後面の中心部分には、摘み部７の後方側に棒状に突出された回転軸部２７が延設されている。そして、この回転軸部２７には、回転軸部２７と相対的に固定されて、摘み部７の回転と同時に回転される操作ギア２１が設けられている。この操作ギア２１は、正面視で円形状をなしており、その円周上の全周に歯部２８が形成されている。また、操作ギア２１の後面側の周縁近傍には、操作ギア２１の後方側に棒状に突出された操作ピン２２が設けられている。
【００２７】
また、操作ギア２１の左方側には油圧式のロータリーダンパ２９が設けられている。このロータリーダンパ２９は、回転軸に接続されたローター（図示略）がオイル中で回転されることにより、オイルの粘性抵抗で回転軸の回転運動に制動力を作用させる。そして、このロータリーダンパ２９の回転軸には、正面視で円形状をなしその全円周上に歯部３１が形成されたダンパーギア３０が設けられている。ダンパーギア３０の歯部３１は、操作ギア２１の歯部２８と噛合されており、操作ギア２１の回転に対する抵抗となって、操作ギア２１の回転速度を制限するようになっている。
【００２８】
また、操作ギア２１は、操作ギア２１に隣接して設置される被係合ギア３２の被係合片３４に係合される係合片３６を有している。この係合片３６は、操作ギア２１の中心から操作ギア２１の外周側に向けて延設されているとともに、外周側の先端部に近づくにつれて幅が徐々に狭まる板状に形成されている。また、係合片３６と操作ギア２１とは、回転軸部２７を介し互いに固定されている。
【００２９】
そして、係合片３６は、摘み部７が所定の角度の間を回転されているときに、係合片３６の先端部が被係合ギア３２の被係合片３４に係合されるようになっている。すなわち、操作ギア２１の係合片３６は、操作ギア２１が所定の角度回転されている間は、係合片３６が被係合片３４に係合されて係合状態となり、この係合状態のままさらに操作ギア２１が所定の角度を超えて回転されると、係合片３６と被係合片３４との係合が解除されるようになっている。
【００３０】
また、被係合ギア３２は、正面視で円形状をなしており、その円周上の全周に歯部３８が形成されている。また、被係合ギア３２は被係合片３４を有しており、被係合片３４は被係合ギア３２の中心から被係合ギア３２の外周側に向けて延設された略長方形の板状に形成されているとともに、被係合片３４の先端部が操作ギア２１の係合片３６に係合されるようになっている。さらに、被係合片３４と被係合ギア３２とは、連動軸３７を介し互いに固定されている。
【００３１】
図５（ｂ）に示すように、取付金具６３の案内部１４の右端側近傍には、回転軸５１により回転自在となっている略円形状をなす回転体１９（規制部材）が設けられている。この回転体１９は、その一部が直線状に切り欠かれた切欠部５２が形成されている。図７に示すように、回転体１９が回転され、その切欠部５２が下方位置にあるときには、動作体１３は、その係止部が什器１の受け座１７から脱離される位置まで、その動作経路中を移動できる。一方で、回転体１９の切欠部５２が上方位置にあるときには、回転体１９の一部が動作体１３の移動経路中に配置されて、動作体１３の接触部２０が回転体１９に接触して動作体１３の移動動作が規制される。
【００３２】
また、図７に示すように、回転体１９の内部には、磁性を有する永久磁石５３が固定に設けられている。この永久磁石５３に外部から磁力が加わることで、回転体１９が回転されるようになっている。そして、永久磁石５３の磁極の向きは、回転体１９の切欠部５２が下方位置にあるときに、回転体１９の下方側がＮ極で上方側がＳ極となっている。さらに、回転体１９の右方位置には、鉄心の周りに銅線がコイル状に巻かれて形成された電磁石５４が固定配置されている。この電磁石５４に所定のタイミングで電流が通電されることで、電磁石５４から磁束６４が発生して回転体１９に磁力が加えられる。
【００３３】
次に、発電装置６５について詳述する。施解錠装置６の取付金具６３の後部には、回転軸が回転されることで発電がなされる発電機４０が取り付けられている。この発電機４０の回転軸４１には、全周に歯部４２が形成されたピニオンギア４４が固定されている。また、このピニオンギア４４は、被係合ギア３２の動力を伝達する伝達ギア４５が噛合されており、伝達ギア４５を介して被係合ギア３２と機械的に接続されている。そして、発電機４０は、ピニオンギア４４の回転により駆動されて発電するようになっている。
【００３４】
また、ピニオンギア４４には、正面視で円形状をなしてその全円周上に歯部４６が形成された発電ギア４７が噛合されている。そして、この発電ギア４７の外縁付近には、発電用のコイルバネ４８を係止する係止孔４９が設けられている。このコイルバネ４８は、伸長バネであり、一端が発電ギア４７の係止孔４９に係止材５０を介して係止されるとともに、他端が固定ピン１２を介して引出し２の底部に係止される。そして、発電ギア４７が時計回りまたは反時計回りに一定角度回転されることで、コイルバネ４８が一定の長さ伸長されるようになっている。
【００３５】
次に作動機構について詳述する。上述の認証装置４のスイッチ部３３および施解錠装置６の発電機４０、電磁石５４により、図２に示すような作動機構が形成される。この作動機構では、発電機４０の２つの電極５５、５６にそれぞれ電線５７、５８が繋がれており、発電機４０は、２本の電線５７、５８を介して電磁石５４のコイルに接続されている。そして、この２本の電線５７、５８のうち一方の電線５７は、その途中で分岐され、かつ分岐後に再び合流されるように分岐された分岐線５９，６０を有している。この２つの分岐線５９，６０には、それぞれの分岐線５９，６０を流れる電流の方向を一方向に制限する整流器６１，６２が設けられており、各分岐線５９，６０を流れる電流は、正方向または逆方向の異なる方向に流れるようになっている。また、分岐線５９には、上述のスイッチ部３３が設けられており、スイッチ部３３がＯＮ状態の場合のみ電流が流れる。
【００３６】
このように電気回路を構成することで、操作者が解錠を行う際には、認証装置４で認証を行うことが必要になる一方で、操作者が施錠操作を行う際には、特に認証装置４にて認証を行う必要のない作動機構が認証装置４と施解錠装置６とにより構築される。
【００３７】
次に、図４及び図５を参照しながら、本実施例の錠装置８において什器１を操作者が解錠操作する際の手順について説明する。
【００３８】
先ず、図４（ａ）に示すように、動作体１３は、その係合部１８が什器１の受け座１７に挿入されて係止されている施錠位置に位置されているとともに、操作ギア２１の操作ピン２２が動作体１３の操作孔２３の弧状部２４の左端に位置されており、回転体１９は、その切欠部５２が上方位置にあって動作体１３の移動動作を規制している状態（規制状態）である場合を、初期状態として、操作者により解錠操作がなされる際の手順を説明する。
【００３９】
操作者が解錠を行う際には、先ず操作者は認証装置４で認証を行う。そして、操作者が暗証番号をテンキー９で入力して認証が許可された場合には、制御部３５により電気回路５のスイッチ部３３がＯＮ状態（通電可能状態）に制御される。その後、操作者は、摘み部７を時計回りに回転させる。
【００４０】
次に、図４（ｂ）に示すように、操作者によって摘み部７（操作部材）が時計回りに所定の角度回転されると、操作ギア２１の係合片３６が被係合ギア３２の被係合片３４の上方側に係合される。その後、摘み部７が更に所定の角度まで回転される間、係合片３６が被係合片３４を押し下げられて、操作ギア２１の回転力が被係合ギア３２および伝達ギア４５、ピニオンギア４４を介して発電ギア４７に伝達される。すると、発電ギア４７は操作ギア２１の回転に伴って時計回りに回転される。そして、発電ギア４７の回転に応じて発電用のコイルバネ４８が引き伸ばされて、操作者が摘み部７を回転させるエネルギーがコイルバネ４８により一時的に機械的エネルギーとして蓄えられる。
【００４１】
なお、この間、回転体１９の切欠部５２は図５（ａ）に示すように上方位置にあり、動作体１３の移動動作が規制されている。すなわち、回転体１９は規制状態が維持されているとともに、動作体１３は施錠位置に位置されている。
【００４２】
また、操作ギア２１の歯部２８がダンパーギア３０の歯部３１に噛合されているので、ロータリーダンパ２９により、操作ギア２１の回転が所定速度以下となるように制動がかけられる。
【００４３】
そして、図４（ｃ）に示すように、摘み部７が時計回りに更に所定の角度回転されると、操作ギア２１の係合片３６と被係合ギア３２の被係合片３４との係合状態が解除される。すると、発電ギア４７による発電用のコイルバネ４８の引き伸ばしが終わり、コイルバネ４８に蓄えられていた機械的エネルギーが瞬間的に解放されて、コイルバネ４８が復元力により縮み始めて、発電ギア４７が反時計回りに回転し、発電機４０での発電が始まる。そして、コイルバネ４８の復元力により付勢された発電ギア４７の回転速度が最も早くなる時点において、図６（ａ）に示すようなピークを有する誘導電流が発生する。このコイルバネ４８により本発明のエネルギー蓄積手段が構成される。なお、この間、動作体１３は施錠位置にある。
【００４４】
そして、発電機４０が発電した電力は、分岐線５９のスイッチ部３３および整流器６１を介して回転体１９の右方に配置された電磁石５４に供給されるとともに、電磁石５４は一時的に磁化されて、図７に示すように電磁石５４の上端部がＮ極、下端部がＳ極となる磁場を発生させる。
【００４５】
また、回転体１９の内部の永久磁石５３が磁力の影響を受けて、回転体１９が回転され、回転体１９の向きが切り換わる。すなわち、図５（ｂ）に示すように、回転体１９の切欠部５２が下方位置に移動して、動作体１３の移動動作の規制が解除された状態（規制解除状態）となる。このように、回転体１９が電磁石５４の磁極により制御され、操作者が摘み部７を手動操作することにより回転体１９の向きが制御されることで、回転体１９により、本発明の規制部材が構成される。
【００４６】
また、本実施例では、施解錠操作において、摘み部７が所定の角度の間を回転操作されることにより、コイルバネ４８が一定の長さ伸びるようになっているので、操作者による摘み部７の操作具合（摘み部７に加えられる力や回転速度）によらず、コイルバネ４８には一定のエネルギーが蓄えられる。そして、コイルバネ４８の復元力のみを利用して発電機４０により発電させているので、操作者による摘み部７の操作具合によらず、ほぼ一定のピークを有する誘導電流が生じる。したがって、電磁石５４で生じる磁場の強さもほぼ一定となり、回転体１９は、操作者による摘み部７の操作具合によらず、毎回一定の速度で回転される。
【００４７】
また、本発明における規制状態とは動作体１３が所定の動作経路中を通過できない状態のことであり、規制解除状態とは動作体１３が所定の動作経路中を通過できる状態のことであって、例えば規制解除状態とは、動作経路中に規制部材があっても、動作体１３に接触することで該規制部材が押し出され、動作体１３が動作経路中を通過できる状態であってもよい。
【００４８】
次に、図４（ｄ）に示すように、摘み部７が時計回りに更に所定の角度回転されると、操作ギア２１の操作ピン２２が、動作体１３の操作孔２３の線状部２５に沿いながら移動しつつ、動作体１３を右方向に押して移動させる。このとき、動作体１３は、操作者による摘み部７の操作に応じた速度で移動される。
【００４９】
また、このとき、操作ギア２１の歯部２８がダンパーギア３０の歯部３１に噛合されており、操作ギア２１の回転速度が一定程度減速するように制動がかけられるので、係合片３６と被係合片３４との係合状態が解除された直後において、操作ギア２１を回転させる際の抵抗が急激に減少されることはない。このロータリーダンパ２９により本発明の制限手段が構成され、操作者が摘み部７を過剰な力や速さで回し続けてしまい、回転体１９の切り換わりが完了する前に、動作体１３が回転体１９と接触してしまうことが回避される。
【００５０】
そして、動作体１３が解錠位置に達すると、動作体１３の係合部１８が什器１の受け座１７から脱せられると、引出し２が開放可能になる。
【００５１】
さらに、図４（ｅ）に示すように、操作ピン２２が操作孔の端部に接触するまで、摘み部７が時計回りに更に所定の角度回転されると、摘み部７の操作に応じた速度で、動作体１３が更に移動されて、本実施例で動作体１３が移動される範囲の最右端に到る。これにより、解錠操作が終了する。なお、この間、動作体１３は解錠位置に位置しており、動作体１３が最右端に到る前であっても、引出し２は開放可能である。
【００５２】
なお、操作者により解錠操作が行われる際には、先ず認証装置４で認証が行われるが、操作者によりテンキー９で暗証番号が入力されて認証が拒否された場合には、電気回路５における発電機４０と電磁石５４との間のスイッチ部３３がＯＦＦ状態（通電不能状態）となる。この状態で操作者により摘み部７が回転されると、操作ギア２１および発電ギア４７は回転されるが、ＯＦＦ状態のスイッチ部３３と分岐線６０の整流器６２により電磁石５４に電流が流れることが妨げられて磁力が生じないため、回転体１９は回転されず、規制状態が維持される。したがって、動作体１３が右方向へ移動されるとその接触部２０が回転体１９に接触するので、動作体１３の移動が規制される。すなわち、動作体１３が施錠位置に位置されたままの状態が維持されて、動作体１３の係合部１８が、什器１の側板１６の受け座１７に係止された状態となっており、操作者は引出し２を開放できない。
【００５３】
次に、錠装置８により什器１を施錠する際の手順について説明する。操作者が施錠操作を行う際には、認証装置の操作は不要である。先ず、解錠操作が終了された状態にある摘み部７が、操作者により反時計回りに回転されると、解錠位置にある動作体１３が操作ギア２１の操作ピン２２によって左方向に押され、動作体１３の係合部１８が什器１の受け座１７に係止される。すなわち、動作体１３が施錠位置に移る。
【００５４】
そして、摘み部７が反時計回りに更に回転されると、操作ギア２１の係合片３６が被係合ギア３２の被係合片の下方側に係合される。そして、係合片３６が被係合片３４を押し上げて、操作ギア２１の回転力が発電ギア４７に伝達されるとともに、発電ギア４７が回転されてコイルバネ４８を引き伸ばし、コイルバネ４８により機械的エネルギーが一時的に蓄えられる。なお、このとき、操作ギア２１や発電ギア４７の回転方向は、上述した解錠操作時とは逆方向になっている。
【００５５】
その後、係合片３６と被係合片３４との係合状態が解除され、コイルバネ４８に蓄えられた機械的エネルギーが瞬間的に解放されて、コイルバネ４８が復元力により縮み、発電ギア４７が時計回りに回転されて、電気回路５では、図６（ｂ）に示すようなピークを有して、上述した解錠時とは逆方向の誘導電流が分岐線６０の整流器６２を介して流れる。そして、その電流が電磁石５４に供給され、電磁石５４が一時的に磁化されて、電磁石５４の上端部がＳ極、下端部がＮ極となる磁場が発生する。この磁場により、回転体１９が回転されて、回転体１９の向きが切り換わる。すなわち、回転体１９の切欠部５２が上方位置に移動して、動作体１３の移動動作が規制される状態（規制状態）となることで、施錠位置にある動作体１３の移動が規制されて、引出し２が開放不能になる。
【００５６】
以上、本実施例における什器１では、コイルバネ４８（エネルギー蓄積手段）により摘み部７（操作部材）の操作ストローク内でエネルギーを蓄え、そのエネルギーをコイルバネ４８（瞬時放出手段）により操作ストローク内で高い出力で瞬間的に放出することができるため、回転体１９（規制部材）を状態変化させるために十分なエネルギー出力を得ることができる。
【００５７】
また、摘み部７（操作部材）の操作に起因して動作体１３（動作部材）と回転体１９（規制部材）とが各々所定タイミングで動作をなす場合であっても、ロータリーダンパ２９（制限手段）により、解錠操作時において動作体１３が回転体１９に規制されることなく解錠位置に達するように動作体１３の移動速度を制限することで、回転体１９の所定動作が先に完了された後に、動作体１３の所定動作が遂行されるように、動作体１３の動作のタイミングが調整されるので、操作者よって想定以上の力や速さで摘み部７が操作された場合であっても、確実に解錠を行うことができる。
【００５８】
また、電気回路の開閉を切り換えることのみで、回転体１９（規制部材）の状態を制御できるので、スイッチ部３３の電力消費を低減できる。
【００５９】
また、什器１の外部から電力を供給することなく、太陽電池３からの電力で認証装置４（認証手段）を利用できる。
【００６０】
また、電力を利用して、回転体１９（規制部材）の規制状態と規制解除状態とを切り換えることで、回転体１９が切り換えられるタイミングを、摘み部７の機械的な動きから容易に分離して、回転体１９の状態を切り換える制御の自由度を向上できる。なおかつ、回転体１９の切り換えに、摘み部７の操作によって発電がなされる発電機４０（発電手段）から供給される電力が利用されることで、外部からの電力供給を必要とせずに、操作者による摘み部７の操作のみで、施解錠を行うことができる。
【００６１】
また、コイルバネ４８（エネルギー蓄積手段）によって、摘み部７の操作によるエネルギーが一時的に蓄えられて、そのエネルギーが瞬間的に放出されることで、操作者による摘み部７の操作具合によらず、回転体１９の状態を切り換えるために必要な電力が所定のタイミングで安定的に供給されて、確実に施解錠を行うことができる。
【００６２】
また、摘み部７（操作部材）が回転軸を中心に回転操作されるので、ロータリーダンパを摘み部７の回転軸等に係合させることで、容易に、摘み部７の回転を制限し、摘み部７の操作に依って動作する動作体１３の移動速度を制限できる。
【００６３】
また、認証装置４は、認証動作とスイッチ部３３に供給される電力のＯＮ／ＯＦＦ状態の切り換えのみを行うため、認証装置４を微少な電力で動作させられるようになり、かつ物理的な動作を行う施解錠装置６に供給される電力は、認証装置４に供給される電力と別電源とすることができ、施解錠装置６は別電源により充分な電力量を確保できるようになる。
【００６４】
また、施解錠装置６の電磁石５４は、手動操作によって発電を行う発電機４０から電力の供給を受けることで、手動発電により施解錠装置６の動作に必要な電力量を確保することができる。なおかつ、認証装置４は太陽電池３から電力の供給を受けられるようになるので、省電力化を図ることができ、環境保護に配慮した什器１とすることができる。
【００６５】
また、認証装置４は、スイッチ部３３のＯＮ／ＯＦＦの制御を行い、回転体１９による動作体１３の動作の規制または非規制の少なくとも一方が許容されることで、動作体１３の動作の規制または非規制を選択的に行うことができるとともに、動作体１３の動作は、摘み部７の操作に応じて決定されるため、記憶装置等を別途設けて、動作体１３の動作態様を記憶しておく必要がなく、什器１の省電力化を図ることができる。
【００６６】
なお、前記実施例では、操作ギア２１の円周状の全周に歯部２８が設けられているが、摘み部７により動作体１３が操作されて移動するときのみ操作ギア２１の歯部２８がロータリーダンパ２９のダンパーギア３０に係合するように円周上の一部に歯部を設けてもよい。これにより、係合片３６と被係合片３４との係合状態が解除されるのとほぼ同時に、操作ギア２１の歯部２８がダンパーギア３０の歯部３１に係合され、操作ギア２１の回転が所定速度以下となるように制動がかけられる。そして、係合片３６と被係合片３４との係合状態が解除されても、操作ギア２１を回転させる際の抵抗が急激に減少されることがなく、操作者が摘み部７を過剰な速さで回し続けてしまい、後述する回転体の切り替わりが完了する前に、動作体１３が回転体１９と接触してしまうことが回避される。
【００６７】
また、前記実施例では、制限手段としてロータリーダンパ２９を用いているが、制限手段は、規制部材が規制解除状態を取ると同時または取った後に、動作体１３が規制部材に達するように、少なくとも動作体１３の移動速度を制限するようになっていればよく、例えば、動作体１３が動作する際に所定の抵抗を与えるように、動作体１３と接触する所定部材の表面にゴム等の高摩擦抵抗体を設けることで構成してもよいし、動作体１３にエアダンパを取り付けることで構成してもよい。
【００６８】
また、前記実施例では、制限手段としてロータリーダンパ２９を摘み部７の操作ギア２１に係合させているが、摘み部７の操作により動作体１３を動作させるためにギア等で構成される駆動機構内であれば、ロータリーダンパ２９を他のギア等に係合させてもよい。
さらに、オフィス等に設置される什器１の引出し２に対して本発明が適用された施解錠装置６が設けられているが、施解錠装置６は、什器１の引出し２のみならず、観音扉式の開閉部を有する什器や蓋体により収納部を開閉する什器に本発明が適用された施解錠装置６を設けるようにしてもよい。さらに、什器のみならず、家屋の玄関のドアや窓等を施錠する施解錠装置や機械器具などの幅広い用途に適用できる。
【００６９】
また、前記実施例では、認証装置４の電源として太陽電池３を用いているが、太陽電池３に替えて小型乾電池等を用いてもよい。この場合、長期間電池等を交換しないで使用できるようになる。
【００７０】
また、前記実施例では、電線５７の分岐線５９にスイッチ部３３が設けられ、操作者が解錠操作を行う際に、認証装置４による認証が必要であるが、電線５７の分岐線５９にスイッチ部３３を設けずに、電線５８の分岐線６０にスイッチ部を設けて、操作者が施錠操作を行う際に、認証装置４による認証が必要となるように構成してもよい。
【００７１】
また、前記実施例では、電線５７が２本の分岐線５９、６０により２系統設けられているが、認証装置４にて認証を行う操作の態様に応じて、分岐線を３本や４本やそれ以上設けて、３系統や４系統やそれ以上設けるようにしてもよい。
【００７２】
また、前記実施例では、認証装置４の電源として太陽電池３を用いているが、施解錠装置６のように操作者による手動操作に基づいて発電がなされる発電機構を認証装置４の電源として用いてもよい。これにり、操作者によるボタンの操作により発電がなされた後の所定の時間内に、操作者が暗証番号を入力して認証が許可されると、電気回路のスイッチ部がＯＮ（導通状態）になり、続いて操作者による摘み部７の操作により発電がなされて回転体が回転されるとともに、動作体が解錠位置に移動されるような作動機構を構築することができる。この場合、認証装置４用の発電機構と施解錠装置用の発電機構とを別々に設けておくことが望ましい。これによって、夜間の停電時で照明が確保できない場合であっても、確実に錠装置を作動させて、什器１の引出し２を施解錠させることができる。
【００７３】
以上、本発明の実施例を図面により説明してきたが、具体的な構成はこれら実施例に限られるものではなく、本発明の要旨を逸脱しない範囲における変更や追加があっても本発明に含まれる。
【００７４】
前記実施例で述べた施解錠装置、発電装置、作動機構、認証装置および太陽電池の配置方法についての変形例について以下に述べる。
＜施解錠装置の変形例＞
【００７５】
本発明に係る錠装置を備えた什器を実施するための施解錠装置の形態の変形例１から４について以下に説明する。尚、前記実施例と同一構成部分に付いては同一符号を付して重複する説明を省略する。
＜施解錠装置の変形例１＞
【００７６】
施解錠装置の変形例１につき、図８から図２２を参照して説明する。本変形例１の施解錠装置１０６は、図８および図９に示すように、両開き式の扉１０２が設けられている什器１ａに備えられている。そして、この扉１０２には、扉１０２を開放するための取手部１０３と、扉１０２の施解錠を行うための摘み部７（操作部）と、扉１０２を開放不能にするための矩形状の棒状部材となっている動作体１０７（所定の目的物）とが設けられている。動作体１０７が係合方向（左方向）に移動されることで、その先端部が他方の扉１０２に形成された受け座１０８（被係合部）に挿入されて係合し、扉１０２が開放不能になる。また、動作体１０７が解除方向（右方向）に移動されることで、その先端部が他方の扉１０２に形成された受け座１０８から脱し、扉１０２が開放可能になる。なお、取手部１０３は、ラッチ機構（図示略）と連係されており、ラッチ機構により扉１０２が不用意に開放されないようにするとともに、取手部１０３を把持することでラッチ機構が解除されて扉１０２が開放可能となる。
【００７７】
そして、図１０及び図１２に示すように、施解錠装置１０６は、扉１０２の前面を構成する前面板１１の後面側に設けられており、施解錠装置１０６は、前面板１１に後面側に取り付けられる略板状をなす取付金具６３を有している。この取付金具６３には、動作体１０７を直線状に案内するために、上下２条の凸条で形成される案内部１１４（経路）が設けられている。この案内部１１４に沿って動作体１０７が左右方向に移動可能となっている。
【００７８】
前述した摘み部７は、正面視で略円形状をなし、前面板１１に設けられた摘み配置部材１１５内に配置されている。そして、この摘み部７の後面側には、摘み部７の回転と同時に回転される操作ギア１１６が設けられている。この操作ギア１１６の歯部１１７は、円形状をなす操作ギア１１６の円周上の一部に形成されている。なお、摘み部７と操作ギア１１６とは、連動軸１１８により相対的に固定されている（図１０参照）。また、操作ギア１１６の後面側には、操作ギア１１６の円周近傍に設けられた操作ピン１１９が設けられている。
【００７９】
図１２に示すように、動作体１０７には、操作ピン１１９が係合するための上下に延びる長孔１２０が形成されている。操作者が摘み部７を回転操作させることで操作ギア１１６が周方向に回転するようになり、それに伴って操作ピン１１９の位置が操作ギア１１６の回転に伴って移動され、操作者の手動操作力が操作ピン１１９を介して長孔１２０から動作体１０７に伝達される。本変形例では、操作者が摘み部７を反時計回りに回転させることで、動作体１０７が係合方向（左方向）に移動するとともに、操作者が摘み部７を時計回りに回転させることで、動作体１０７が脱離方向（右方向）に移動するようになっている。
【００８０】
このように摘み部７を操作することで、操作ギア１１６の回転方向及び動作体１０７の移動方向は、それぞれ係合方向（正方向）または解除方向（逆方向）に操作されるようになっている。
【００８１】
さらに、案内部１１４の右端側近傍には、回転軸１２６により回転自在となっている略円形状をなす回転体１２７（規制部材）が設けられている。この回転体１２７は、その一部が直線状に切り欠かれて切欠部１２８が形成されている。図１２に示すように、回転体１２７が回転され、その切欠部１２８が下方位置にあるときには、動作体１０７が最右方側の脱離位置まで移動できる。図１９に示すように、回転体１２７が回転され、その切欠部１２８が上方位置にあるときには、回転体１２７の一部が案内部１１４の内部に配置されるようになり、動作体１０７が回転体１２７に接触してその移動動作が規制（ロック）されるようになっている。
【００８２】
図１２に示すように、回転体１２７の内部には、磁性を有する永久磁石５３（磁性部材）が設けられている。この永久磁石５３に外部から磁力が加わることで、回転体１２７が回転されるようになっている。なお、回転体１２７の切欠部１２８が下方位置にあるときに、永久磁石５３の磁極の向きは、左方側がＮ極で右方側がＳ極となっている。そして、回転体１２７の上方位置には、回転体１２７に磁力を加える電磁石５４（磁力切換手段）が配置されている。この電磁石５４は、鉄心の周りに銅線により形成されたコイルを配置したものとなっている。なお、回転体１２７及び電磁石５４によって本変形例における作動部を構成している。
【００８３】
図１２に示すように、操作者が施錠操作を行う際には、操作者は摘み部７を反時計回りに回転させる。そして、摘み部７の回転に伴い操作ギア１１６が回転されることで、動作体１０７が係合方向（左方向）に移動される。
【００８４】
図１３に示すように、操作者の手動操作により摘み部７を回転させて操作ギア１１６が回転され続けることで、摘み部７に加わる手動操作によるエネルギーがコイルバネ１２５を延ばすようになる。このコイルバネ１２５には、動作体１０７の移動に伴うストローク、即ち摘み部７の回転に伴うストロークの一部の動作が、コイルバネ１２５の延長という機械的エネルギーとして蓄えられる。
【００８５】
図１４に示すように、操作ギア１１６が所定量回転されると、発電ギア１２２の回転によって発電機４０にて発電が行われる。この発電機４０が発電した電力は、回転体１２７の上方位置に配置された電磁石５４に供給される。そして、通電された電磁石５４は一時的に磁化されて、電磁石５４の左端部がＮ極、右端部がＳ極となる磁場が発生する（図２１参照）。このとき、電磁石５４が発生せる磁力により、回転体１２７の内部の永久磁石５３が磁力の影響を受けて、回転体１２７が回転軸１２６と中心として回転され、その向きが切り換わるようになっている。なお、回転体１２７は１８０°回転されることで、その向きが切り換わる。なお、動作体１０７は、回転体１２７の向きに係らず最左方側の係合位置まで移動できる。
【００８６】
図１３及び図１４に示すように、回転体１２７の向きが切り換わる前は、回転体１２７の切欠部１２８が下方位置に配置されている。電磁石５４が通電されることで、回転体１２７の向きが切り換わった後は、回転体１２７の一部が案内部１１４内に配置されるようになる。なお、この案内部１１４内に配置された回転体１２７の一部が、後述するように動作体１０７の移動を規制（ロック）する規制部材となる。
【００８７】
図２１に示すように、回転体１２７は、電磁石５４の両磁極（両端部）の中間位置Ｔに配置されるとともに、回転体１２７の中心である回転軸１２６は、電磁石５４の両磁極の中間位置Ｔから両磁極のうちいずれか一方側に寄せて配置される。本変形例では、回転軸１２６が左方側に若干寄せて配置される。
【００８８】
このようにすることで、電磁石５４の両磁極の磁力線の向きに沿って回転体１２７の向きが定まるようになり、かつ各磁極から生じる磁力が若干不均衡な状態で回転体１２７に加わるため、電磁石５４の磁力の発生時に回転体１２７の向きが切り換え易くなり、電磁石５４に通電する電力が微量であっても回転体１２７の向きを切り換えることができる。
【００８９】
図２２（ａ）に示すように、回転体１２７は、真円形状の仮想円Ｅの一部が直線状に切り欠かれて切欠部１２８が形成されており、この切欠部１２８が形成された分だけ回転体１２７の重量が軽減され、仮想円Ｅの中心位置Ｃから外れた位置に回転体１２７の重心Ｇが配置される。そのため、回転軸１２６の中心は、回転体１２７の重心Ｇと一致するように修正して配置される。このように回転体１２７の仮想円Ｅの中心位置Ｃから外れた重心位置Ｇを回転軸１２６に修正することで、重心修正手段が構成されている。
【００９０】
このようにすることで、回転体１２７が回転軸１２６を軸心として回転される際の慣性モーメントが最小となり、回転体１２７が回転し易くなって少ない仕事量、即ち電磁石５４に通電される電力量が少なくでも、回転体１２７の向きの切り換えを行うことができる。
【００９１】
図１５に示すように、操作者が解錠を行う際には、先ず認証手段（図示略）により認証が行われる。認証が許可された場合には、発電機４０と電磁石５４との間のスイッチ１３３（図１１参照）がＯＮ状態（通電可能状態）となる。その後、操作者は摘み部７を時計回りに回転させる。そして、摘み部７の回転に伴い操作ギア１１６が回転されることで、動作体１０７が脱離方向（右方向）に移動される。
【００９２】
図１６に示すように、操作者の手動操作により摘み部７を回転させて操作ギア１１６が回転され続けることで、摘み部７に加わる手動操作によるエネルギーがコイルバネ１２５を延ばすようになる。そして、図１７に示すように、さらに操作ギア１１６が所定量回転されると、操作ギア１１６の歯部１１７が発電ギア１２２の歯部１２３から外れ、コイルバネ１２５が有する復元力により一気にコイルバネ１２５が短縮して発電ギア１２２が時計回りに回転させる。この発電ギア１２２の回転によって発電機４０にて発電が行われる。
【００９３】
そして、電磁石５４が発生せる磁力により、回転体１２７の内部の永久磁石５３が磁力の影響を受け、回転体１２７が回転軸１２６と中心として回転され、その向きが切り換わるようになっている。このように、電磁石５４で動作する回転体１２７を電磁石５４の磁極により制御できるようになり、操作者が摘み部７を手動操作することにより回転体１２７を制御することができる。
【００９４】
図１８に示すように、回転体１２７の向きが切り換わった後は、回転体１２７の切欠部１２８が下方位置に配置され、動作体１０７が脱離位置まで移動可能となる。操作者は、摘み部７を時計回りに回転させて動作体１０７を脱離位置まで移動させることで、什器１ａと扉１０２が開放可能となる。
【００９５】
例えば、図１９に示すように、認証が不可だった場合には、操作者が解錠を行う際に摘み部７を操作しても、動作体１０７の端部が回転体１２７に接触してその移動が規制されるようになっている。この状態では、動作体１０７の先端部は、他方の扉１０２に形成された受け座１０８（被係合部）に挿入されて係合された状態となっており、扉１０２を開放することができない。
【００９６】
また、図２０に示すように、回転体１２７の回転軸１２６の中心と回転体１２７の円周部（縁部）との距離をＬ１とした場合に、回転体１２７の回転軸１２６の中心から動作体１０７の移動経路である案内部１１４までの距離をＬ２とすると、Ｌ１とＬ２との関係がＬ１＞Ｌ２となっている。
【００９７】
このようにすることで、回転体１２７の回転軸１２６から動作体１０７の移動経路である案内部１１４までの距離Ｌ２よりも、回転体１２７の回転軸１２６から回転体１２７の円周部までの距離Ｌ１が長いため、動作体１０７が案内部１４に沿って移動する際に、動作体１０７が回転体１２７に接触し、その接触された箇所から回転体１２７に加わる力により回転体１２７の回転軸１２６に向かって加わり、それ以上の動作体１０７の移動を規制できる。
【００９８】
即ち、動作体１０７の端部が回転体１２７に接触した際に、回転体１２７の円周上に動作体１０７の端部の角部が接触し、この接触された箇所から回転体１２７に加わるベクトルα（力）が回転体１２７の回転軸１２６に向かって加わるベクトルβとなり、動作体１０７の接触で回転体１２７に加わるベクトルα（力）によって回転体１２７が回転されることを防止することができ、動作体１０７の移動の規制を維持することができる。
【００９９】
つまり、回転体１２７においてその切欠部１２８以外の部位（回転体１２７の円周部位）は、動作体１０７の角部が接触された際に、動作体１０７を規制する規制部位となっており、この規制部位にて動作体１０７の移動が規制されるようになっている。そして、回転体１２７によって動作体１０７の移動を規制することができるとともに、回転軸１２６により回転自在の回転体１２７は、少ない電力量（仕事量）でその向きの切り換えを行うことができ、回転体１２７の向きの切り換えにより動作体１０７の規制の解除を行うことができる。なお、回転体１２７の切欠部１２８は、動作体１０７の移動経路中において移動規制しない非規制部位となっている。
【０１００】
このように、回転体１２７によって動作体１０７の移動を規制することができるとともに、回転軸１２６中心の回転体１２７は、少ない仕事量でその向きを変化させることができるため、動作体１０７の規制やその解除を小さな力で行うことができる。また、回転体１２７の少なくとも一部が切り欠かれており、切欠部１２８が動作体１０７の経路を塞がない非規制部位となっていることで、回転体１２７に切欠部１２８を形成するといった簡単な構成によって、動作体１０７の移動を許容できることになる。
【０１０１】
本変形例における施解錠装置１０６では、回転軸１２６により回転自在の回転体１２７は、少ない電力量（仕事量）でその向きの切り換えを行うことができ、回転体１２７がその位置は変化せずにその向きが切り換わることで、案内部１１４に沿って物理的に動作する動作体１０７の規制またはその解除を行うことができ、動作体１０７の規制またはその解除を少ない電力量で行うことができる。
【０１０２】
また、回転体１２７が永久磁石５３を有するとともに、回転体１２７の近傍に電磁石５４が配置され、電磁石５４に通電されることで、回転体１２７の向きが切り換わるようになっていることで、永久磁石５３を有する回転体１２７と電磁石５４という簡素な構成で、動作体１０７の規制またはその解除を行うことができる。また、電磁石５４が消費する電力量は、回転体１２７の向きを切り換えることができる電力量が確保できればよく、動作体１０７の規制またはその解除を少ない消費電力で行うことができ、消費電力を抑えた施解錠装置１０６とすることができる。
【０１０３】
また、磁力により回転体１２７の向きの切り換えを行うことができ、回転体１２７の向きの切り換えのために回転体１２７以外に機械的動作を行うバネ部材等の機械要素を設けずに済むので、少ない仕事量で回転体１２７の向きの切り換えを行うことができる。
【０１０４】
このように物理的な機械の動作を行う回転体１２７を有する施解錠装置１０６の作動に、操作者の手動操作を利用して発電された電力を用いるため、什器１ａ全体の電力消費を抑えることができる。
【０１０５】
前述したように、本変形例の回転体１２７では、回転軸１２６の中心が回転体１２７の重心Ｇと一致するように修正することで、重心修正手段が構成されている。次に、回転体１２７のバリエーションついて説明する。
【０１０６】
図２２（ｂ）に示すように、バリエーション１の回転体１２７ａでは、回転体１２７ａが真円形状の仮想円Ｅの一部が直線状に切り欠かれて第１切欠部１２８が形成されており、この第１切欠部１２８と回転軸１２６を挟んで対向する円周上に第２切欠部１２８’が形成される。この第２切欠部１２８’は、回転体１２７ａの円周の一部が半円形状に切り欠かれることで形成される。なお、本バリエーション１では、第１切欠部１２８が回転軸１２６の下方位置に形成された場合に、第２切欠部１２８’が回転軸１２６の上方位置に形成される。この第２切欠部１２８’を形成することにより、仮想円Ｅの中心位置Ｃに回転体１２７の重心Ｇが配置されるようになる。なお、この第２切欠部１２８’が本変形例の重心修正手段を構成している。
【０１０７】
図２２（ｃ）に示すように、バリエーション２の回転体１２７ｂでは、回転体１２７ｂが真円形状の仮想円Ｅの一部が直線状に切り欠かれて切欠部１２８が形成されており、さらに、回転軸１２６の周囲における切欠部１２８が形成された部位以外に、所定の大きさの肉抜部１３４が形成される。この肉抜部１３４は、回転体１２７ｂに形成される穴部がとなっている。なお、本バリエーション２では、切欠部１２８が回転軸１２６の下方位置に形成された場合に、肉抜部１３４が回転軸１２６の上方位置及び左右位置の３箇所に形成される。この肉抜部１３４を形成することにより、仮想円Ｅの中心位置Ｃに回転体１２７の重心Ｇが配置されるようになる。なお、この肉抜部１３４が本変形例の重心修正手段を構成している。
＜施解錠装置の変形例２＞
【０１０８】
施解錠装置の変形例２につき、図２３を参照して説明する。前記変形例１では、動作体１０７が案内部１１４に沿って移動する際に、動作体１０７が回転体１２７に接触し、その接触された箇所から回転体１２７に加わる力により、それ以上の動作体１０７の移動を規制できるようになっているが、動作体１０７が案内部１１４（経路）の所定箇所に接触し、その接触された箇所から案内部１１４に加わる力により、それ以上の動作体１０７の移動を規制できるようにしてもよい。
【０１０９】
図２３（ａ）に示すように、変形例２の施解錠装置１０６’では、案内部１１４が非直線状をなしており、その一部が上方側に屈曲されて形成されている。そして、案内部１１４の屈曲された部位には、動作体１０７が乗り上げる坂道状の坂部１１４ａが設けられている。
【０１１０】
図２３（ｂ）に示すように、回転体１２７が回転され、その切欠部１２８が下方位置にあるときには、動作体１０７の上方への移動が許容され、案内部１１４の坂部１１４ａを動作体１０７が乗り上げることができ、動作体１０７が解除方向（右方向）に移動されるようになっている。
【０１１１】
図２３（ｃ）に示すように、回転体１２７が回転され、その切欠部１２８が上方位置にあるときには、動作体１０７の上端に回転体１２７が接触して、動作体１０７の上方への移動が規制され、案内部１１４の坂部１１４ａを動作体１０７が乗り上げることができなくなり、動作体１０７の先端が案内部１１４の坂部１１４ａに接触し、この坂部１１４ａの存在によりそれ以上の動作体１０７の解除方向（右方向）への移動が規制されるようになる。
【０１１２】
以上、本発明の変形例を図面により説明してきたが、具体的な構成はこれら変形例に限られるものではなく、本発明の要旨を逸脱しない範囲における変更や追加があっても本発明に含まれる。
【０１１３】
例えば、前記変形例では、オフィス等に設置される什器１ａの扉１０２に対して本発明が適用された施解錠装置１０６が設けられているが、施解錠装置１０６は、什器１ａの扉１０２のみならず、什器１ａ等に設けられる引出しや蓋体の施錠装置、または、什器１ａのみならず、家屋の玄関のドアや窓等を施錠する施錠装置、及び人間による手動操作と相俟って電気を必要とする機械器具などに広い分野に適用できることは明らかである。
【０１１４】
また、前記変形例では、電磁石５４に通電される電力が操作者の手動操作により発電する発電機４０から供給されるようになっているが、電磁石５４に通電される電力は、発電機４０以外に電池等から供給されるようにしてもよい。
【０１１５】
また、前記変形例では、本発明の施解錠装置として、回転体が移動を規制する動作体として係合部材が例示されているが、その他の用途にも適用できる。例えば、引戸等の直線的に移動する部材を動作体とし、この引戸等の一部に回転体を当接させることで、その移動を規制するようにしてもよいし、所定の電気機器や操作盤等に設けられる回転する摘み部を動作体とし、その摘み部の一部に回転体を当接させることで、その移動を規制するようにしてもよい。このように、オフィス等に設置される什器のみならず、その他の用途にも本発明を適用することができる。
＜施解錠装置の変形例３＞
【０１１６】
施解錠装置の変形例３につき、図２４及び図２５を参照して説明する。図２４に示すように、本変形例の施解錠装置２０６ｅは、引出し２の内部に設けられ、引出し２を開放不能とするためのロック機構６０５を有しており、引出し２の施解錠を行うようになっている。
【０１１７】
また、ロック機構６０５は、引出し２の側方に配置される筐体の側板６０６に突設された山型状をなす係止凸部６０７に係止される係止ローラ６０８を有している。この係止ローラ６０８は、コイルバネ６０９によって側板６０６に向かって直線移動するように付勢された直動ロッド６１０の先端部に枢支されている。さらに、この直動ロッド６１０の内方側の基端部の近傍には、回転体２２７及び電磁石５４が配置されている。
【０１１８】
図２４に示すように、電磁石５４による磁力により回転体２２７が回転され、直動ロッド６１０の基端部が回転体２２７に接触する状態では、直動ロッド６１０の先端部の係止ローラ６０８が移動不能に規制（ロック）されて、係止ローラ６０８が係止凸部６０７を乗り越えることができず、引出し２が施錠状態となる。
＜施解錠装置の変形例４＞
【０１１９】
施解錠装置の変形例４につき、図２６及び図２７を参照して説明する。図２６に示すように、本変形例の施解錠装置２０６ｆは、引出し２の内部に設けられ、引出し２を開放不能とするためのロック機構６０５’を有しており、引出し２の施解錠を行うようになっている。なお、この施解錠装置２０６ｆは、回転体２２７（規制部材）及び電磁石５４の配置位置以外の構成は、前述した変形例と同様の構成となっている。
【０１２０】
また、ロック機構６０５’は、引出し２の側方に配置される筐体の側板１６に突設された山型状をなす係止凸部６０７に係止される係止ローラ６０８を有している。この係止ローラ６０８は、コイルバネ６０９によって側板１６に向かって、枢軸６１１を中心軸として回転移動するように付勢された回動ロッド６１０’の先端部に枢支されている。さらに、この回動ロッド６１０’の内方側の基端部の近傍には、回転体２２７及び電磁石５４が配置されている。
【０１２１】
図２７に示すように、電磁石５４による磁力により回転体２２７が回転され、回動ロッド６１０’の基端部が回転体２２７に接触する状態では、回動ロッド６１０’の先端部の係止ローラ６０８が移動不能に規制（ロック）されて、係止ローラ６０８が係止凸部６０７を乗り越えることができず、引出し２が施錠状態となる。
【０１２２】
そして、図２７に示すように、電磁石５４による磁力により回転体２２７が回転され、その切欠部２２８が回動ロッド６１０’の基端部側を向くと、回動ロッド６１０’は回転移動自在になるとともに、回動ロッド６１０’の先端部の係止ローラ６０８が移動可能になり、係止ローラ６０８が係止凸部６０７を乗り越えることができ、引出し２が解錠状態となる。
＜発電装置の変形例＞
【０１２３】
本発明に係る発電装置を実施するための形態の変形例１〜６について以下に説明する。尚、前記実施例または変形例と同一構成部分に付いては同一符号を付して重複する説明を省略する。
＜発電装置の変形例１＞
【０１２４】
発電装置の変形例１につき、図２８から図３６及び図６を参照して説明する。図２８に示すように、本変形例１の発電装置２０６は、両開き式の扉１０２が設けられている什器１における扉１０２の前面を構成する前面板２１１の後面側に設けられており、発電装置２０６には、動作体２０７を直線状に案内するために、上下２条の凸条で形成される案内部２１４（経路）が設けられている。この案内部２１４に沿って動作体２０７が左右方向に移動可能となっている。
【０１２５】
また、図２９に示すように、操作手段としての摘み部７の後面側には、摘み部７の回転と同時に回転される係合部材２１６が設けられている。この係合部材２１６の第１係合部２１７は、円形状をなす係合部材２１６の円周上の一部に形成されている。なお、摘み部７と係合部材２１６とは、図示しない連動軸により相対的に固定されている。
【０１２６】
そして、係合部材２１６の上方位置には、左右に２つの同方向巻きの発電コイル２２３，２２４が設けられており、これら発電コイル２２３，２２４を渡す連結線２４０によって発電コイル２２３，２２４同士が通電可能に連結されている。また、発電コイル２２３，２２４間の略中央部には、発電コイル２２３，２２４内を移動可能な発電磁性体２２２（可動部材）が配置されており、発電コイル２２３，２２４は、発電磁性体２２２が発電コイル２２３，２２４間を移動することで、コイル内の磁界が変化し、直流電流を発電するようになっている。さらに発電磁性体２２２の正面側略中央部には第２係合部２１８が設けられており、係合部材２１６に設けられた第１係合部２１７と係合可能に構成されている。
【０１２７】
ここでは、発電コイル２２３，２２４は左右に２つ分かれて設けられるように構成されているが、必ずしも２つである必要はなく、複数の発電コイルで構成されていてもよく、また連続する一つの発電コイルで構成されていてもよい。
【０１２８】
発電磁性体２２２には、図３０に示すように発電磁性体２２２を長手方向に貫通する遊嵌孔２３９が形成されており、遊嵌孔２３９の長手方向の左右端側には案内突起２４１が形成されている。遊嵌孔２３９は、ここでは図示しない端部固定部材によって発電装置２０６に取り付けられる移動軸２３８に対し、長手方向に左右に移動可能に遊嵌設置されている。即ち、発電磁性体２２２は移動軸２３８に案内されて左右方向に移動することになるため、発電磁性体２２２の移動時において発電コイル２２３，２２４に対し平行に案内されることになる。
【０１２９】
そのため、発電コイル２２３，２２４を通過する磁束を多くでき、エネルギーロスを抑制できる。また移動軸２３８上を移動する際、案内突起２４１のみが接触するように構成されているため、移動軸２３８に対して少ない摩擦係数で発電磁性体２２２を移動可能としている。
【０１３０】
図３に示すように、発電磁性体２２２の同軸上左右端部には、弾性を有する弾性部材として構成される左右一対のコイルバネ２２５が取り付けられており、コイルバネ２２５の他端は、取付金具６３に取り付けられている。また左右一対のコイルバネ２２５の付勢力が略同一に設定されており、発電コイル２２３，２２４間の略中央部で発電磁性体２２２が安定するようになっている。
【０１３１】
続いて操作者が行う施錠操作を説明する。図３１に示すように、操作者は操作手段を構成する摘み部７を反時計回りに回転させ、この摘み部７の回転に伴い係合部材２１６が所定のストローク回転され、動作体２０７が係合方向（左方向）に移動される。動作体２０７が所定量移動されたとき、即ち係合部材２１６が所定量回転されたときに、係合部材２１６の第１係合部２１７が発電磁性体２２２の第２係合部２１８と係合するようになっている。
【０１３２】
そして、係合部材２１６の反時計回りの回転とともに、発電磁性体２２２が発電コイル２２３に近付けられるように平行に所定ストローク移動される。この発電磁性体２２２の平行移動とともに、発電磁性体２２２の左右のコイルバネ２２５が変形を始める。このコイルバネ２２５には、動作体２０７の移動に伴うストローク、即ち摘み部７の回転に伴う操作量、即ちストロークの一部の操作量を、コイルバネ２２５の変形という機械的エネルギーとして蓄えられ、本発明のエネルギー蓄積手段を構成している。
【０１３３】
図３２に示すように、係合部材２１６をさらに追加のストローク分回転すると、係合部材２１６の第１係合部２１７が発電磁性体２２２の第２係合部２１８から外れ、互いの係合状態が断たれる。そして、コイルバネ２２５が有する復元力により一気にコイルバネ２２５が復元し、コイルバネ２２５に蓄えられた機械的エネルギーが瞬時に放出され、発電磁性体２２２を発電コイル２２３から遠ざけるとともに発電コイル２２４に近付けられるように平行移動させる。これらにより、本発明の瞬時放出手段が構成される。
【０１３４】
図３３に示すように、上記の発電磁性体２２２の平行移動によって発電コイル２２３，２２４にて発電が行われる。詳しくは、コイルバネ２２５の復元力により付勢された発電磁性体２２２の移動速度が一番速い地点において、図６（ａ）に示すようなピークを有する誘導電流が発生する。
【０１３５】
なお、このとき発電コイル２２３，２２４が発電した電力は直流電流であり、矢印方向に対して電流が流れる。この矢印方向の電力によって電磁石５４の下方側がＮ極に、上方側がＳ極に磁化し、近接配置された回転体２２７内部の永久磁石５３が磁力の影響を受けて、回転体２２７が回転軸２２６を中心として回転され、その向きが切り換わるようになっており、本発明の操作出力手段を構成している。
【０１３６】
なお、回転体２２７は１８０°回転されることで、その向きが切り換わる。さらに、発電磁性体２２２の平行移動において、コイルバネ２２５に蓄えられた機械的エネルギーが瞬時に放出されるため、高い電圧を発生させることができる。
【０１３７】
このように摘み部７の操作量、即ち移動ストロークの少なくとも一部で、発電磁性体２２２を移動させてコイルバネ２２５を一定量変形させ、さらに移動ストロークの残りのストロークにおいて、コイルバネ２２５の復元力により発電磁性体を発電コイル２２３，２２４に対し瞬間的に平行に相対移動させ、発電コイル２２３，２２４に生じる電力を作動部に供給するため、操作者の操作具合に変動があっても、それによらずに一定の発電された出力電力を作業部に安定して与えることができる。
【０１３８】
また、発電コイル２２３，２２４に対し発電磁性体２２２を往復移動させて、直接発電を行うため、構造が簡素化され、エネルギーの受け渡しの際のエネルギーロスを防止でき、高効率に発電し、一定した出力を行うことができる。
【０１３９】
図３２に示すように、回転体２２７の向きが切り換わる前は、回転体２２７の切欠部２２８が下方位置に配置されている。そして電磁石５４が通電されることで、図３３に示すように、回転体２２７の向きが切り換わり、回転体２２７の一部が動作体２０７の移動軌道上に配置されるようになり、回転体２２７の一部が動作体２０７の移動を規制し、施錠操作が完了する。
【０１４０】
続いて操作者が行う解錠操作を説明する。図３３に示すように、係合部材２１６の第１係合部２１７が発電磁性体２２２の第２係合部２１８から外れると、第１係合部２１７と第２係合部２１８の位置関係が入れ替わる。即ち、係合部材２１６の一方向への動作（施錠操作）の完了とともに第１係合部の位置と第２係合部の位置が入れ替わり、係合部材２１６の次の動作（解錠操作）の準備が完了する。
【０１４１】
図３４に示すように、動作体２０７が所定量移動されたとき、即ち係合部材２１６が所定量回転されたときに、係合部材２１６の第１係合部２１７が発電磁性体２２２の第２係合部２１８と係合するようになっている。そして、係合部材２１６の時計回り回転とともに、発電磁性体２２２が発電コイル２２４に近付けられるように平行に移動される。この発電磁性体２２２の平行移動とともに、発電磁性体２２２の左右のコイルバネ２２５が変形を始める。
【０１４２】
係合部材２１６の時計回りの回転とともに、発電磁性体２２２が発電コイル２２４に近付けられるように平行に移動される。この発電磁性体２２２の平行移動とともに、発電磁性体２２２の左右のコイルバネ２２５が変形を始める。このコイルバネ２２５には、動作体２０７の移動に伴うストローク、即ち摘み部７の回転操作に伴うストロークの一部の動作が、コイルバネ２２５の変形という機械的エネルギーとして一定運動量蓄えられる。
【０１４３】
図３５に示すように、さらに係合部材２１６が所定ストローク回転されると、係合部材２１６の第１係合部２１７が発電磁性体２２２の第２係合部２１８から外れ、互いの係合状態が断たれる。そして、コイルバネ２２５が有する復元力により一気にコイルバネ２２５が復元し、コイルバネ２２５に蓄えられた機械的エネルギーが瞬時に放出され、発電磁性体２２２を発電コイル２２３から遠ざけるとともに発電コイル２２４に近付けられるように平行移動させる。この発電磁性体２２２の平行移動によって発電コイル２２３，２２４にて発電が行われ、図６（ｂ）に示すようなピークを有する誘導電流が発生する。
【０１４４】
なお、このとき発電コイル２２３，２２４が発電した電力は、前述の施錠操作時に発電した電力と同様に直流電流であるが、前述の施錠操作時と電極の極性は逆になっており、矢印方向に対して電流が流れる（図３６参照）。
【０１４５】
即ち、発電コイル２２４に生じた電流は、回転体２２７に近接配置された電磁石５４に供給され、電磁石５４では、電磁石５４の下方側がＳ極、上方側がＮ極となる磁場が発生する。このように、摘み部７が係合方向（正方向）に操作されたときの発電コイル２２３，２２４の電流の方向と、摘み部７が脱離方向（逆方向）に操作されたときの発電コイル２２３，２２４の電流の方向と、が互いに異なる。
【０１４６】
そして、電磁石５４が生じさせる磁力により、回転体２２７の内部の永久磁石５３が磁力の影響を受け、回転体２２７が回転軸２２６と中心として回転され、その向きが切り換わるようになっている。このように、電磁石５４で動作する回転体２２７を電磁石５４の磁極により制御できるようになり、操作者が摘み部７を手動操作することにより回転体２２７を制御する出力手段を構成することができる。
【０１４７】
なお、本変形例１では、発電磁性体２２２が発電コイル２２３，２２４に対し平行に相対移動可能なように構成されており、図中では直線の移動軸２３８に案内され、発電磁性体２２２が発電コイル２２３，２２４に対し直線方向に移動するように示されているが、移動軸２３８が曲線で形成され、発電磁性体２２２が発電コイル２２３，２２４に対し相対移動可能に構成されていてもよい。
＜発電装置の変形例２＞
【０１４８】
発電装置の変形例２につき、図３７から図４２及び図４５を参照して説明する。図３９に示すように、変形例２の発電装置２０６ａは、扉１０２の前面を構成する前面板２１１の後面側に設けられた取付板２３４に固定されている。この取付板２３４には、動作体２０７（所定の目的物）を直線状に案内するために、上下２条の凸条で形成される案内部２１４が設けられており、この案内部２１４に沿って動作体２０７が左右方向に移動可能となっている。
【０１４９】
また、図３７及び図３９に示すように、第１圧電素子２４６、第２圧電素子２４７が棒材２４８を介しての取付板２３４の固定点２４５に取り付けられている。特に図３７には、圧電素子２４６，２４７の構造とその配線状態が示されており、第１圧電素子２４６は、セラミックからなる圧電材料２４６ａとこの圧電材料２４６ａの両側にプラス電極２４６ｂとマイナス電極２４６ｃが設けられている。同様に第２圧電素子２４７はセラミックからなる圧電材料２４７ａとこの圧電材料２４７ａの両側にプラス電極２４７ｂとマイナス電極２４７ｃが設けられている。図３８の符号３３は図示しない認証手段により制御されるスイッチである。また符号２４９は弾性体等で構成された衝撃吸収部材である。
【０１５０】
図３９に示されるように、発電ギア２２１の周縁には第１圧電素子２４６、第２圧電素子２４７を殴打する複数のピン部材２５０（殴打部材）が設けられている。また、プラス電極側の面にはピン部材２５０の殴打が圧電材料に伝搬しないように弾性体等で構成された衝撃吸収部材２４９が貼着されている。そのため、第１圧電素子２４６、第２圧電素子２４７にはピン部材２５０がこれら圧電素子２４６、２４７を殴打することにより発電を行うことに寄与するマイナス電極側の面（第１面）と、ピン部材２５０がこれら圧電素子２４６、２４７を殴打しても発電を行うことに寄与しないプラス電極側の面（第２面）とを備えることになる（図３７及び図３８参照）。
【０１５１】
この構造によれば、圧電素子の第１面が発電に寄与し第２面が発電に寄与しないため、可動部材の往復動のうち一方の動きのみを発電に用いることができる。なお、第１圧電素子２４６、第２圧電素子２４７のそれぞれの電極２４６ｂ、２４６ｃ、２４７ｂ、２４７ｃから電線２３２が延びており、この電線２３２が電磁石５４のコイルに接続されている。
【０１５２】
また、発電ギア２２１の左右端部には、弾性部材として構成される左右一対のコイルバネ２２５が取り付けられており、それぞれのコイルバネ２２５の一端は、取付板２３４に取り付けられている。また、この発電ギア２２１は、左右両コイルバネ２２５の付勢力によって、その周方向の定位置に安定的に保持されるようになっている。
【０１５３】
操作者は摘み部７を時計回りに回転させる。そして、摘み部７の回転に伴い操作ギア２４２が回転されることで、動作体２０７が脱離方向（右方向）に移動される。
【０１５４】
摘み部７の後面側には、摘み部７の回転と同時に回転される操作ギア２４２が設けられており、操作ギア２４２の歯部２４３は円形状をなす操作ギア２４２の円周上の一部に形成されている。なお、摘み部７と操作ギア２４２とは、相対的に固定されて軸支されており、操作ギア２４２の後面側には、操作ギア２４２の円周近傍に設けられた操作ピン２１９が設けられている。
【０１５５】
前記した操作ギア２４２の上方位置には、発電ギア２２１（可動部材）が設けられており、この発電ギア２２１は、取付板２３４に駆動軸２７１により軸支され、往復回転可能となっている。この発電ギア２２１には、その全周に歯部２３１が形成されており、操作ギア２４２の歯部２４３と係脱可能となっている。
【０１５６】
また、発電ギア２２１の周縁には第１圧電素子２４６、第２圧電素子２４７を殴打する複数のピン部材２５０（殴打部材）が設けられている。また前記したようにプラス電極側の面にはピン部材２５０の殴打が圧電材料に伝搬しないように弾性体等で構成された衝撃吸収部材が貼着されている。
【０１５７】
そのため、第１圧電素子２４６、第２圧電素子２４７にはピン部材２５０がこれら圧電素子２４６、２４７を殴打することにより発電を行うことに寄与するマイナス電極側の面（第１面）と、ピン部材２５０がこれら圧電素子２４６、２４７を殴打しても発電を行うことに寄与しないプラス電極側の面（第２面）とを備えることになる。この構造によれば、圧電素子の第１面が発電に寄与し第２面が発電に寄与しないため、可動部材の往復動のうち一方の動きのみを発電に用いることができる。
【０１５８】
また、発電ギア２２１の左右端部には、弾性部材として構成される左右一対のコイルバネ２２５が取り付けられており、それぞれのコイルバネ２２５の一端は、取付板２３４に取り付けられている。また、この発電ギア２２１は、左右両コイルバネ２２５の付勢力によって、その周方向の定位置に安定的に保持されるようになっている。
【０１５９】
操作ギア２４２が所定量回転されたときに、操作ギア２４２の歯部２４３が発電ギア２２１の歯部２３１と所定ストローク分係合し、互いにギア２４２，２２１が連係されるようになっている。そして、操作ギア２４２の時計回り回転とともに、発電ギア２２１が反時計回りに回転される。この発電ギア２２１の回転とともに、発電ギア２２１の左右のコイルバネ２２５が延び始める。その際、第２圧電素子２４７のピン部材２５０に殴打される面には衝撃吸収部材が貼着されているため、第２圧電素子２４７がピン部材２５０により殴打されたとしても第２圧電素子２４７が発電に寄与することはない。
【０１６０】
図４０に示すように、操作者の手動操作により摘み部７を回転させて操作ギア２４２が回転され続けることで、摘み部７に加わる手動操作によるエネルギーがコイルバネ２２５を延ばすようになる。このコイルバネ２２５には、動作体２０７の移動に伴うストローク、即ち摘み部７の回転に伴うストロークの一部の動作が、コイルバネ２２５の延長という機械的エネルギーとして蓄えられ、本発明のエネルギー蓄積手段を構成している。
【０１６１】
図４１に示すように、さらに操作ギア２４２が所定量回転されると、操作ギア２４２の歯部２４３が発電ギア２２１の歯部２３１から外れ、互いにギア２４２，２２１の連係状態が断たれる（非連係状態）。そして、コイルバネ２２５が有する復元力により一気にコイルバネ２２５が短縮し、コイルバネ２２５に蓄えられた機械的エネルギーが発電ギア２２１（可動部材）の動きに換えられて瞬時に放出されて発電ギア２２１を時計回りに回転させる。
【０１６２】
この発電ギア２２１の回転によって第２圧電素子２４７にて発電が行われ、図４５（ａ）に示すようなピーク電流が発生する。その際に、第２圧電素子２４７の発電に寄与する面がピン部材により殴打されることになり、本発明の発電手段を構成している。なお、このとき、第２圧電素子２４７が発電した電力は、前述の施錠操作時に発電した電力と同様に直流電流となっているが、その電極の極性は、逆になっており、ピーク電流も図４５（ｂ）のようになる。
【０１６３】
即ち、第２圧電素子２４７が発電した電力は、回転体２２７の上方位置に配置された電磁石５４に供給されるが、電磁石５４では、電磁石５４の左端部がＳ極、右端部がＮ極となる磁場が発生する。このように、摘み部７が係合方向（正方向）に操作されたときの第１圧電素子の電極の極性と、摘み部７が脱離方向（逆方向）に操作されたときの第２圧電素子の電極の極性と、が互いに反転するようになっている。
【０１６４】
そして、電磁石５４が発生せる磁力により、回転体２２７の内部の永久磁石５３が磁力の影響を受け、回転体２２７が回転軸２２６と中心として回転され、その向きが切り換わるようになっている。このように、電磁石５４で動作する回転体２２７を電磁石５４の磁極により制御できるようになり、操作者が摘み部７を手動操作することにより回転体２２７を制御することができるものであり、本発明における発電手段からの電力により一定の出力動作を行う出力手段を構成している。
【０１６５】
図４２に示すように、回転体２２７の向きが切り換わった後は、回転体２２７の切欠部２２８が下方位置に配置され、動作体２０７が脱離位置まで移動可能となる。操作者は、摘み部７を時計回りに回転させて動作体２０７を脱離位置まで移動させることで、什器１と扉１０２が開放可能となる。
＜発電装置の変形例３＞
【０１６６】
発電装置の変形例３につき、図４３、図４４及び図４６を参照して説明する。図４３に示すように、回転体２５１には、発電装置の変形例２と同様に円周方向に複数のピン部材２５０が設けられており、その両端部に離間して位置する第１圧電素子２４６，第２圧電素子２４７が設置されている。そして、変形例２と同様に、第１圧電素子２４６，第２圧電素子２４７がピン部材２５０で連続的に殴打されることで発電を行うことができる。
【０１６７】
また、回転体２５１の円周上には、円周方向に離間して突起２５３，２５４が設けられており、後述するように回転体２５１の所定角度の回転で接続スイッチ２５６，２５７に接触するように配置されている。第１圧電素子２４６、第２圧電素子２４７には、それぞれ、コンデンサ２５８，２５９が給電回路２６０によって接続されており、コンデンサ２５８，２５９は第１圧電素子２４６，第２圧電素子２４７により発電した電気を充電して蓄積しておくものである。また各コンデンサは、接続スイッチ２５６，２５７を介して出力部２５５に接続されており、コンデンサに蓄積された電力を出力部２５５に出力して各種機器の動作を行うことができるようになっている。
【０１６８】
次に、変形例３の発電装置２０６ｂの作用を図４４（ａ）及び図４４（ｂ）により説明する。この発電装置２０６ｂの利用者が、変形例１及び２と同様に、摘み部を操作し、図４４（ａ）に示すように、回転体２５１が時計方向に回転するように操作する。これにより、第１圧電素子２４６が複数のピン部材２５０により連続して殴打されて発電する。
【０１６９】
そして、各殴打により発電された電流は、第１圧電素子２４６と接続しているコンデンサ２５８に次第に蓄電される。すなわち、回転体２５１の回転操作の少なくとも一部が電力として蓄積されることになる。ピン部材２５０は、図４４に示されているように、回転体２５１上の一部の範囲にわたって周方向に設けられているため、回転体２５１の全回転ストロークのうち、ピン部材２５０が設けられている周方向ストロークの間だけ発電が行われる。そのため、この周方向ストローク長を適宜設定すれば、発電量を調整することが可能である。
【０１７０】
圧電素子２４６がピン部材２５０により殴打されて発電が終了した後、さらに、回転体２５１を回転すると、回転体２５１の突起２５４が接続スイッチ２５６に当接し、この時点でコンデンサ２５８に配線された給電回路２６１が切断状態から接続状態に切り換わる。これによりコンデンサ２５８に蓄積された電流は、図４６（ａ）に示すようなピークを持った直流電流が瞬時に出力部２５５に流れることになる。突起２５４と接続スイッチとの当接位置を調整することで電流を瞬時に放出する時期を設定することが可能である。そして、出力部２５５は、変形例１，２と同様の作動部であっても良いし、その他各種機器の表示装置や音声発生器、記録装置などとすることができる。
【０１７１】
回転体２５１は、上記とは逆に反時計方向に回転しても、第２圧電素子２４７、コンデンサ２５９、突起２５４、接続スイッチ２５７が同様に作動し、出力部２５５に、図４６（ｂ）に示すようなピークを持った直流電流とすることができる。なお、出力部２５５に流す電流方向は正逆種々に変更可能であることは言うまでもない。
＜発電装置の変形例４＞
【０１７２】
発電装置の変形例４につき、図４７から図３３を参照して説明する。図４７及び図４８に示すように、摘み部７の後面側には、摘み部７の回転と同時に回転される操作ギア２６５が設けられている。この操作ギア２６５の歯部２６６は、円形状をなす操作ギア２６５の円周上の一部に形成されている。なお、摘み部７と操作ギア２６５とは、連動軸２６７により相対的に固定されている（図４７参照）。また、操作ギア２６５の後面側には、操作ギア２６５の円周近傍に設けられた操作ピン２１９が設けられている。
【０１７３】
図４８に示すように、動作体２０７（所定の目的物）には、操作ピン２１９が係合するための上下に延びる長孔２２０が形成されている。操作者が摘み部７を回転操作させることで操作ギア２６５が周方向に回転するようになり、それに伴って操作ピン２１９の位置が操作ギア２６５の回転に伴って移動され、操作者の手動操作力が操作ピン２１９を介して長孔２２０から動作体２０７に伝達される。本変形例４では、操作者が摘み部７を反時計回りに回転させることで、動作体２０７が係合方向（左方向）に移動するとともに、操作者が摘み部７を時計回りに回転させることで、動作体２０７が脱離方向（右方向）に移動するようになっている。
【０１７４】
このように摘み部７を操作することで、操作ギア２６５の回転方向及び動作体２０７の移動方向は、それぞれ係合方向（正方向）または解除方向（逆方向）に操作されるようになっている。
【０１７５】
また、発電装置２０６ｃの取付金具６３の後部には、発電機４０（発電部）が取り付けられている（図４７参照）。この発電機４０は直流電流を発電（第１機能）するようになっている。そして、操作ギア２６５の上方位置には、発電機４０を駆動する発電ギア２６９（可動部材）が設けられている。なお、この発電ギア２６９は、発電機４０の駆動軸２７１に対して相対的に固定されており、発電ギア２６９は、駆動軸２７１を中心として回転されるようになっている。この発電ギア２６９には、その全周に歯部２７０が形成されており、操作ギア２６５の歯部２６６が係合されるようになっている。
【０１７６】
さらに、発電ギア２６９は、その左右端部に弾性を有する弾性部材として構成される左右一対のコイルバネ２２５が取り付けられている。なお、コイルバネ２２５の一端は、発電ギア２６９に取り付けられるとともに、コイルバネ２２５の他端は、取付金具６３に取り付けられている。また、この発電ギア２６９は、その周方向に回転自在になっているが、左右両コイルバネ２２５の付勢力によって、発電ギア２６９は、その周方向の定位置に安定的に保持されるようになっている。なお、発電ギア２６９及びコイルバネ２２５によって変形例４におけるエネルギー蓄積手段を構成している。
【０１７７】
さらに、案内部２１４の右端側近傍には、回転軸２２６により回転自在となっている略円形状をなす回転体２２７（規制部材）が設けられている。
【０１７８】
図４８に示すように、回転体２２７の上方位置には、回転体２２７に磁力を加える電磁石５４（磁力切換手段）が配置されている。この電磁石５４は、鉄心の周りに銅線により形成されたコイルを配置したものとなっている。なお、回転体２２７及び電磁石５４によって変形例４における作動部を構成している。
【０１７９】
図１１に示すように、発電機４０から２つの電線１３２が延びており、この電線１３２が電磁石５４のコイルに接続されている。なお、この電線１３２には、認証手段（図示略）によって制御されるＯＮ／ＯＦＦスイッチ１３３が設けられている。認証が許可された場合には、発電機４０と電磁石５４との間のスイッチ１３３がＯＮ状態（通電可能状態）となる。また、認証が不可だった場合には、発電機４０と電磁石５４との間のスイッチ１３３がＯＦＦ状態（通電不能状態）となる。
【０１８０】
図４８に示すように、操作者が施錠操作を行う際には、操作者は摘み部７を反時計回りに回転させる。そして、摘み部７の回転に伴い操作ギア２６５が回転されることで、動作体２０７が係合方向（左方向）に移動される（第２機能）。
【０１８１】
図４９に示すように、動作体２０７が所定量移動されたとき、即ち操作ギア２６５が所定量回転されたときに、操作ギア２６５の歯部２６６が発電ギア２６９の歯部２７０と係合し、互いにギア２１６，２２２が連係されるようになっている。そして、操作ギア２６５の反時計回りの回転とともに、発電ギア２６９が時計回りに回転される。この発電ギア２６９の回転とともに、発電ギア２６９の左右のコイルバネ２２５が延び始める。
【０１８２】
図５０に示すように、操作者の手動操作により摘み部７を回転させて操作ギア６５が回転され続けることで、摘み部７に加わる手動操作によるエネルギーがコイルバネ２２５を延ばすようになる。このコイルバネ２２５には、動作体２０７の移動に伴うストローク、即ち摘み部７の回転に伴うストロークの一部の動作が、コイルバネ２２５の延長という機械的エネルギーとして蓄えられる。
【０１８３】
図５１に示すように、さらに操作ギア２６５が所定量回転されると、操作ギア２６５の歯部２６６が発電ギア２６９の歯部２７０から外れ、互いにギア２１６，２２２の連係状態が断たれる（非連係状態）。そして、コイルバネ２２５が有する復元力により一気にコイルバネ２２５が短縮し、コイルバネ２２５に蓄えられた機械的エネルギーが瞬時に放出されて発電ギア２６９を反時計回りに回転させる。
【０１８４】
この発電ギア２６９の回転によって発電機４０にて発電が行われる。なお、このとき、発電機４０が発電した電力は、直流電流となっている。さらに、コイルバネ２２５に蓄えられた機械的エネルギーが瞬時に放出されるため、高い電圧を発生させることができる。なお、操作ギア２６５の歯部２６６が発電ギア２６９の歯部２７０から外れ、互いにギア２１６，２２２の連係状態が断たれることで、変形例４における瞬時放出手段が構成されている。
【０１８５】
図５２に示すように、操作者が解錠を行う際には、操作者は摘み部７を時計回りに回転させる。そして、摘み部７の回転に伴い操作ギア２６５が回転されることで、動作体２０７が脱離方向（右方向）に移動される（第２機能）。
【０１８６】
動作体２０７が所定量移動されたとき、即ち操作ギア２６５が所定量回転されたときに、操作ギア２６５の歯部２６６が発電ギア２６９の歯部２７０と係合し、互いにギア２１６，２２２が連係されるようになっている。そして、操作ギア２６５の時計回り回転とともに、発電ギア２６９が反時計回りに回転される。この発電ギア２６９の回転とともに、発電ギア２６９の左右のコイルバネ２２５が延び始める。
【０１８７】
図５３に示すように、操作者の手動操作により摘み部７を回転させて操作ギア２６５が回転され続けることで、摘み部７に加わる手動操作によるエネルギーがコイルバネ２２５を延ばすようになる。このコイルバネ２２５には、動作体２０７の移動に伴うストローク、即ち摘み部７の回転に伴うストロークの一部の動作が、コイルバネ２２５の延長という機械的エネルギーとして蓄えられる。
【０１８８】
図５４に示すように、さらに操作ギア２６５が所定量回転されると、操作ギア２６５の歯部２６６が発電ギア２６９の歯部２７０から外れ、互いにギア２１６，２２２の連係状態が断たれる（非連係状態）。そして、コイルバネ２２５が有する復元力により一気にコイルバネ２２５が短縮し、コイルバネ２２５に蓄えられた機械的エネルギーが瞬時に放出されて発電ギア２６９を時計回りに回転させる。この発電ギア２６９の回転によって発電機４０にて発電が行われる。なお、このとき、発電機４０が発電した電力は、前述の施錠操作時に発電した電力と同様に直流電流となっているが、その電極の極性は、逆になっている。
【０１８９】
即ち、発電機４０が発電した電力は、回転体２２７の上方位置に配置された電磁石５４に供給されるが、電磁石５４では、電磁石５４の左端部がＳ極、右端部がＮ極となる磁場が発生する。このように、摘み部７が係合方向（正方向）に操作されたときの発電機４０の電極の極性と、摘み部７が脱離方向（逆方向）に操作されたときの発電機４０の電極の極性と、が互いに反転するようになっている。
【０１９０】
このように物理的な機械の動作を行う回転体２２７を有する発電装置２０６ｃの作動に、操作者の手動操作を利用して発電された電力を用いるため、什器１ａ全体の電力消費を抑えることができる。
【０１９１】
なお、前述のように、操作ギア２６５と発電ギア２６９の連係は、操作者が手動操作により摘み部７を回転させて動作体２０７が所定量移動されたときになされるようになっている。即ち動作体２０７は、手動操作により案内部２１４に沿って動作され、案内部２１４における回転体２２７から離れた領域を動作体２０７が動作中に、操作ギア２６５と発電ギア２６９の連係が行われ、動作体２０７の移動に伴うストロークの一部の動作を機械的エネルギーとしてコイルバネ２２５が蓄えるようになる。
【０１９２】
このようにすることで、回転体２２７が、動作体２０７を規制する向き、またはその規制が解除される向きのいずれにあっても、コイルバネ２２５に、動作体２０７の移動に伴うストロークの一部の動作を機械的エネルギーとして蓄えさせることができ、かつ操作ギア２６５と発電ギア２６９の連係状態が断たれて放出された機械的エネルギーを用いて発電機４０により発電が行われ、回転体２２７の向きが切り換わるときに、動作体２０７は回転体２２７から離れた領域にあるため、回転体２２７の回転が動作体２０７により邪魔される虞がなくなる。
【０１９３】
なお、発電ギア２６９は、摘み部７の移動に伴うストロークの一部にて操作ギア２６５と連係が可能になっており、瞬時放出手段は、コイルバネ２２５が機械エネルギーを蓄えた状態で発電ギア２６９と操作ギア２６５との連係を断つようになっており、機械エネルギーが発電機２４０にて瞬間的に電力に変換され、電力が電磁石５４に直接供給されることで、コイルバネ２２５がエネルギーを蓄えた状態で、瞬時放出手段により発電ギア２６９と操作ギア２６５との連係が断たれ、コイルバネ２２５に蓄えられた機械的エネルギーが一気に放出されるようになり、機械的エネルギーを瞬間的に電気に変換して、回転体２２７を作動させる有効な電力を発生させることができ、かつ発電された電力が電磁石５４にて即座に消費されるため、電気的なエネルギーの損失を防止しつつ、発電機４０で発電された電力を有効に利用することができる。
＜発電装置の変形例５＞
【０１９４】
発電装置の変形例５につき、図５５から図５９を参照して説明する。図５５に示すように、什器２０１ａに設けられた扉２０２には、扉２０２を開閉する際に操作者が把持する取手部２０３が設けられている。図５６及び図５７に示すように、取手部２０３には、操作者が取手部２０３を把持することで回動されるラッチ把持部６００が配置されており、このラッチ把持部６００から上下方向にラッチロッド６０１が延設されている。
【０１９５】
そして、操作者が扉２０２を開放しようと取手部２０３を把持するとラッチ把持部６００を介してラッチロッド６０１が回動される。なお、ラッチロッド６０１の上下端部には、ラッチ爪６０２が設けられており、このラッチ爪６０２が什器２０１ａの本体側に設けられた被係止穴（図示略）に係止されることで、扉２０２が開放不能に閉鎖されるようになっている。
【０１９６】
また、ラッチロッド６０１は、ラッチ爪６０２が被係止穴（図示略）に係止される方向にバネ（図示略）等により付勢されており、操作者が取手部２０３を把持することで、バネ（図示略）の付勢力に抗してラッチ爪６０２が被係止穴（図示略）から係脱され、扉２０２が開放可能となる。
【０１９７】
また、扉２０２には、変形例４の発電装置２０６ｃと同様の発電装置２０６ｃが設けられており、この発電装置２０６ｃの摘み部７が取手部２０３の近傍に配置されている。さらに、図５８に示すように、ラッチロッド６０１には、発電装置２０６ｃの動作体２０７に係止される制御片６０３が固着されており、動作体２０７が発電装置２０６ｃから突出された状態では、ラッチロッド６０１が回動不能に規制されている。
【０１９８】
図５９に示すように、前述した変形例４と同様に、認証手段（図示略）により認証が許可された場合には、操作者の手動操作により摘み部７を回転させれば、動作体２０７が発電装置２０６ｃ内に引き戻される。そして、制御片６０３が動作体２０７に規制されることなく、ラッチロッド２０１が回動可能になり、操作者は扉２０２を開放できるようになる。
【０１９９】
なお、前述した変形例４では、扉２０２を動作体２０７により直接的に開放不能に閉塞しているが、本変形例５のように、発電装置２０６ｃをラッチ機構の一部に組み込んで、発電装置２０６ｃの動作体２０７によりラッチ機構の動作を規制することで、扉２０２を動作体２０７により間接的に開放不能に閉塞することができる。
＜発電装置の変形例６＞
【０２００】
発電装置の変形例６につき、図６０を参照して説明する。図６０に示すように、変形例６における発電装置２０６ｄは、扉２０２の内部に設けられ、前述した変形例４と同様の摘み部７（操作部）を有しており、扉２０２の施解錠を行うようになっている。また、発電装置２０６ｄは、扉２０２を開放不能とするためのフック２７２（係合部材，所定の目的物）を有しており、このフック２７２が反時計回りに回転移動されることで、その先端部が他方の扉２０２に形成された受け座２０８に挿入され、扉２０２が開放不能になる。
【０２０１】
さらに、発電装置２０６ｄの取付金具６３には、フック２７２を枢支する枢支軸２７３が設けられている。なお、フック２７２は、枢支軸２７３に枢支されることで、所定の回転範囲（経路）に沿って回転動作が可能となっている。また、枢支軸２７３に対して摘み部７及び略扇状をなす操作ギア２７４（動作体）が取り付けられている。そして、操作ギア２７４の回転範囲を規制する規制ピン２７６が取付金具６３に設けられており、操作ギア２７４は、規制ピン２７６によって３６０°以上回転できないようになっている。
【０２０２】
そして、摘み部７と操作ギア２７４とフック２７２とは、枢支軸２７３を介して互いに相対的に固定されており、操作者が摘み部７を、反時計回り（係合方向，正方向）または時計回り（脱離方向，逆方向）に回転操作することで、操作ギア２７４とフック２７２とが枢支軸２７３を中心として回転されるようになっている。
【０２０３】
また、操作ギア２７４の右方位置には、発電ギア２７７が設けられている。この発電ギア２７７は円形状をなし、発電ギア２７７の歯部２７８は、発電ギア２７７の円周上において、操作ギア２７４の歯部２７５と係合する範囲にのみ配置されている。なお、この発電ギア２７７は、発電機４０（発電部）の駆動軸２７１を中心として回転されるようになっている。さらに、この発電機４０の駆動軸２７１には、ゼンマイ式の回転蓄積装置２７９が設けられている。なお、発電ギア２７７及び回転蓄積装置２７９によって変形例４におけるエネルギー蓄積手段を構成している。
【０２０４】
さらに、この回転蓄積装置２７９は、例えば、操作ギア２７４から回転力を伝達された発電ギア２７７が、時計回りに回転した際には、その回転力をゼンマイバネ（図示略）に蓄えることができ、その後、蓄えられた回転力を放出する際には、加わった回転力の方向と逆向きに放出し、反時計回りに発電ギア２７７を回転させることができる。なお、操作ギア２７４から回転力を伝達された発電ギア２７７が、反時計回りに回転した際には、その後、蓄えられた回転力を放出する際には、加わった回転力の方向と逆向きに放出し、時計回りに発電ギア２７７を回転させることができる。
【０２０５】
また、操作ギア２７４の下方位置には、回転体２８０（規制部材）と電磁石５４（磁力切換手段）が配置されている。回転体２８０は、変形例４と同様に略円形状をなしているが、回転体２８０の切欠部２８１は、操作ギア２７４の移動方向に合わせて湾曲された形状に切り欠かれている。
【０２０６】
操作者が摘み部７を手動操作して操作ギア２７４が回転されると、操作ギア２７４が所定量回転された位置で、操作ギア２７４の歯部２７５が発電ギア２７７の歯部２７８と係合されて、操作ギア２７４と発電ギア２７７とが連係される。また、回転蓄積装置２７９のゼンマイバネ（図示略）に操作ギア２７４に加わる回転力が蓄積される。その後、操作ギア２７４がさらに所定量回転された位置で、操作ギア２７４の歯部２７５が発電ギア２７７の歯部２７８から外れ、互いにギア２３８，２４１の連係状態が断たれる（非連係状態）。そして、ゼンマイバネが有する復元力により一気に回転蓄積装置２７９に蓄えられた回転力（機械的エネルギー）が瞬時に放出されて発電ギア２７７が回転される。
【０２０７】
この発電ギア２７７の回転によって発電機４０にて発電が行われる。なお、操作ギア２７４の歯部２７５が発電ギア２７７の歯部２７８から外れ、互いにギア２３８，２４１の連係状態が断たれることで、変形例４における瞬時放出手段が構成されている。
【０２０８】
このように、操作者の手動操作による操作ギア２７４の回転移動に伴うストロークの一部が、一旦エネルギー蓄積手段としてのゼンマイ式の回転蓄積装置２７９に機械的エネルギーとして蓄えられて、この蓄えられた機械的エネルギーが瞬時放出手段により瞬時に放出されるため、操作者が手動操作する操作具合によって、回転蓄積装置２７９の機械的エネルギーの放出態様が変化することが防止され、安定した発電量を確保することができ、発電された電力により作動する作動部としての回転体２８０に不具合が生じることを防止できる。
【０２０９】
次に、エネルギー蓄積手段及び瞬時放出手段のバリエーションについて図６１から図６６を参照して説明する。
【０２１０】
図６１（ａ）は、エネルギー蓄積手段のバリエーション１の発電ギア２８２であり、この発電ギア２８２は、発電装置の変形例２または４に適用することができる。この発電ギア２８２の左右端部には、変形例２または４のコイルバネの代わりに、巻きバネ２８３が取り付けられている。
【０２１１】
また、発電ギア２８２に左右に横長に形成された長孔２８４が設けられており、巻きバネ２８３の端部は、この長孔２８４に取り付けられるとともに、巻きバネ２８３の他方の端部は、発電ギア２８２以外の所定部材に固定される。そして、巻きバネ２８３の端部は、長孔２８４内で相対的に移動可能になっており、発電ギア２８２が反時計回り（係合方向，正方向）（図６１（ｂ）参照）または時計回り（脱離方向，逆方向）（図６１（ｃ）参照）に回転することができ、この発電ギア２８２及び巻きバネ２８３によってエネルギー蓄積手段を構成できる。
【０２１２】
また、このバリエーション１では、発電ギア２８２に２つの巻きバネ２８３を取り付けているが、バリエーション２として図６２に示すように、発電ギア２８５に１つの巻きバネ２８６を取り付けてもよい。この巻きバネ２８６の一方の端部は、発電ギア２８５に対して固定的に取り付けられ、巻きバネ２８６の他方の端部は、発電ギア２８５以外の所定部材に固定される。そして、発電ギア２８５が反時計回り（係合方向，正方向）または時計回り（脱離方向，逆方向）のいずれに回転させても巻きバネ２８６の弾性にエネルギーを蓄積できる。
【０２１３】
また、図６３（ａ）に示すようにバリエーション３として、発電ギア２８７の左右端部に板バネ２８８を取り付けて、エネルギー蓄積手段を構成してもよい。バリエーション３における発電ギア２８７の左右端部には、切り込まれた切込部２８９が形成されており、板バネ２８８の一方の端部は、発電ギア２８７の切込部２８９に挟み込まれているとともに、板バネ２８８の他方の端部は、発電ギア２８７以外の所定部材に固定される。そして、図６３（ｂ）に示すように、発電ギア２８７が回転されると、板バネ２８８が弾性変形してエネルギーを蓄えるようになっている。
【０２１４】
また、前述した発電装の変形例２または４では、発電ギアと操作ギアとが互いが有する歯部同士が係合されることによって連係状態となり、該歯部同士が外れることで、発電ギアと操作ギアの連係状態が断たれる（非連係状態）ようになっているが、発電ギアと操作ギアとを連係状態及び非連係状態にするのは、該歯部を有する発電ギア及び操作ギアのみならず他の態様も適用できる。
【０２１５】
例えば、バリエーション４として図６４（ａ）に示すように、前述した発電ギア及び操作ギアの代わりに発電円板２９０及び操作円板２９１を用いることができる。この発電円板２９０は、変形例４の発電装置と同様の発電機４０に接続されており、操作円板２９１は、摘み部に接続されている。そして、操作円板２９１の外周部の一部には、ゴム部材２９２が設けられている。摘み部が操作されて操作円板２９１が回転を始めて、ゴム部材２９２が発電円板２９０の外周部に接触すると（図６４（ｂ）参照）、発電円板２９０が操作円板２９１の回転につられて回転を始める（図６４（ｃ）及び図６４（ｄ）参照）。
【０２１６】
すると、発電円板２９０に取り付けられたバネ部材（図示略）にエネルギーが蓄えられる。さらに、操作円板２９１がさらに回転されるとゴム部材２９２が発電円板２９０の外周部から外れて、発電円板２９０のバネ部材（図示略）に蓄えられたエネルギーによって発電円板２９０が逆方向に回転されてエネルギーが放出される（図６４（ｅ）参照）。このように、バネ部材が取り付けられた発電円板２９０と、ゴム部材２９２が取り付けられた操作円板２９１とで、本発明のエネルギー蓄積手段及び瞬時放出手段を構成することができる。
【０２１７】
また、バリエーション５として図６５（ａ）に示すように、発電円板２９３にその外周部の２箇所を切り欠いた切欠部２９４を形成し、この切欠部２９４に係合される操作棒２９５を設けるようにしてもよい。この発電円板２９３は、変形例４の発電装置と同様の発電機に接続されており、操作棒２９３は、摘み部に接続されている。摘み部が操作されて操作棒２９５が回転を始めて、その先端部が発電円板２９３の一方の切欠部２９４に係合すると（図６５（ｂ）参照）、発電円板２９３が操作棒２９５の回転につられて回転を始める（図６５（ｃ）及び図６５（ｄ）参照）。
【０２１８】
すると、発電円板２９３に取り付けられたバネ部材（図示略）にエネルギーが蓄えられる。さらに、操作棒２９５がさらに回転されるとその先端部が発電円板２９３の切欠部２９４から外れて、発電円板２９３のバネ部材（図示略）に蓄えられたエネルギーによって発電円板２９３が逆方向に回転されてエネルギーが放出される（図６５（ｅ）参照）。このように、バネ部材が取り付けられた発電円板２９３と操作棒２９５とで、本発明のエネルギー蓄積手段及び瞬時放出手段を構成することができる。なお、操作棒２９５が逆方向に回転される際には、発電円板２９３の他方の切欠部２９４に係合され、発電円板２９３が操作棒２９５の回転につられて回転するようになっている。
【０２１９】
また、前述した発電ギア及び操作ギアでは、回転運動によりエネルギーの蓄積及びその瞬時放出を行っているが、回転運動以外にも直線運動によりエネルギーの蓄積及びその瞬時放出を行うようにしてもよい。例えば、バリエーション６として図６６（ａ）に示すように、摘み部が操作されることで駆動されるベルト部材２９６が設けられ、このベルト部材２９６の一部に突起を有する凸部材９７を取り付けるようにし、この凸部材２９７が係合される凹部が形成された凹部材２９８にコイルバネ２９９を取り付けるようにしてもよい。
【０２２０】
図６６（ｂ）に示すように、摘み部が操作されると、ベルト部材２９６の駆動とともに、凸部材が移動され、この凸部材２９７に係合されている凹部材２９８も一緒に移動される。このときコイルバネ２９９が圧縮されてエネルギーが蓄えられる。そして、所定量移動された後、凸部材２９７がベルト部材２９６の移動とともに下方に移動されて、凸部材２９７の突起が凹部材２９８から外れるようになる。すると、コイルバネ２９９の蓄えられたエネルギーが放出されるようになる（図６６（ｃ）参照）。このように、コイルバネ２９９が取り付けられた凹部材２９８と、摘み部により駆動されるベルト部材２９６に取り付けられた凸部材２９７とで、本発明のエネルギー蓄積手段及び瞬時放出手段を構成することができる。
【０２２１】
以上、本発明の変形例を図面により説明してきたが、具体的な構成はこれら変形例に限られるものではなく、本発明の要旨を逸脱しない範囲における変更や追加があっても本発明に含まれる。
【０２２２】
例えば、前記変形例では、オフィス等に設置される什器１ａの扉１０２に対して本発明が適用された発電装置２０６が設けられているが、発電装置２０６は、什器１ａの扉１０２のみならず、什器等に設けられる引出し２や蓋体の施錠装置、または、什器のみならず、家屋の玄関のドアや窓等を施錠する施錠装置、及び人間による手動操作と相俟って電気を必要とする機械器具などに広い分野に適用できることは明らかである。
【０２２３】
また、前記変形例では、突起２５３，２５４を利用して接続スイッチ２５６，２５７を作動させているが、エンコーダ等の位置検出によってスイッチのＯＮ、ＯＦＦを行ってもよい。
【０２２４】
また、前記変形例では、圧電素子とコンデンサを用いているが、これらの装置に代えて適宜その他の発電装置や蓄電装置を用いることができることは明らかである。
【０２２５】
なお、前記変形例では、手動による操作の例を説明したが、手動以外のエネルギーを使用することもできる。
【０２２６】
また、前記変形例１および２において、出力部が回転体を回動して施錠操作を行い、本発明の発電手段からの電力により出力動作を行う操作出力手段を、例えば、表示手段にし、操作手段として摘み部を手動により回動すれば、アラームや警告灯を作動させるようにしても良い。このようにすれば、摘み部の操作を緩慢に行っても、確実にアラームや警告灯を作動させることができ、効果的である。
【０２２７】
また、本発明の発電手段からの電力により出力動作を行う操作出力手段を、例えば、記憶手段にし、操作手段として摘み部を手動により回動すれば、その操作回数を記録し、カウンターとして利用することができる。
【０２２８】
また、本発明における操作手段は、発電と係合部材の移動を一方向の移動動作によって実現するようになっているが、この一方向の移動動作とは、直線状の一方向へ動作することのみならず、回転動作や、水平に移動した後に向きを変えて垂直方向に移動する動作などの直線状に２方向以上に渡る場合であっても、一連の完結された動作であれば、一方向の移動動作に含まれる。
【０２２９】
また、前記変形例では、本発明の発電装置が施解錠装置として適用されているが、その他の用途にも適用できる。例えば、本発明の発電部が発電した電力を用いて、什器に設けられたセキュリティセンサを動作させたり、報知ランプを作動させたりしてもよい。このように、オフィス等に設置される什器のみならず、その他の用途にも本発明を適用することができる。
【０２３０】
また、前記変形例では、手動操作に用いる操作部として什器に設けられる摘み部を例示ており、摘み部の回転に伴うストロークの少なくとも一部の動作を機械的エネルギーとして蓄えているが、操作部は什器の摘み部以外にも適用できる。例えば、什器の取手部を操作部として用いたり、ドアのドアノブを操作部として用いたりしてもよく、これら取手部やドアノブの動作の一部を機械的エネルギーとして蓄えるようにしてもよし、施解錠装置としてのシリンダーキー等を操作部とし、このシリンダーキー等の施解錠動作の一部を機械的エネルギーとして蓄えるようにしてもよい。
＜作動機構の変形例＞
【０２３１】
本発明に係る作動機構を実施するための形態の変形例について以下に説明する。尚、前記変形例または変形例と同一構成部分に付いては同一符号を付して重複する説明を省略する
【０２３２】
認証装置と施解錠装置により構成される作動機構の変形例につき、図６７から図７０および図１２から図１６並びに図１９を参照して説明する。図６８に示すように、引出し２の内部には、施解錠装置１０６が設けられている。この施解錠装置１０６は、前述した摘み部７を有しており、後述するように、この施解錠装置１０６が認証装置３０５とも連動されており、認証装置３０５により認証が許可された操作者が施解錠を行うことができる。なお、認証装置３０５と施解錠装置１０６とにより本変形例における作動装置を構成している。
【０２３３】
さらに、施解錠装置１０６は、引出し２を開放不能にするための矩形状の棒状部材をとなっている動作体１０７を有しており、この動作体１０７が係合方向（左方向）に移動されることで、その先端部が什器１の側板１６に形成された受け座１７（被係合部）に挿入されて係合し、引出し２が開放不能になる。
【０２３４】
また、動作体１０７が解除方向（右方向）に移動されることで、その先端部が什器１の側板１３４の受け座１０８から脱し、引出し２が開放可能になる。そして、図７０に示すように、認証装置３０５は、操作者が暗証番号を入力するためのテンキー９と、認証が許可されたか否かを表示するインジケータ３１０と、パネル状をなす太陽電池３（第１電力供給部）と、これらが接続された制御部３５（第１被供給部）と、を備えている。なお、テンキー９とインジケータ３１０と太陽電池３とは、引出し２の前面板１１の前面に設けられている（図６７及び図６８参照）。
【０２３５】
次に、施解錠装置１０６について詳述する。図６９及び図１２に示すように、施解錠装置１０６は、引出し２の前面側を閉塞する前面板１１に内蔵されており、この施解錠装置１０６は、前面板１１内に固定的に配置された取付金具６３をベースとしている。この取付金具６３には、動作体１０７を直線状に案内するために、上下２条の凸条で形成される案内部１１４（経路）が設けられている。この案内部１１４に沿って動作体１０７が左右方向に移動可能となっている。
【０２３６】
前述した摘み部７は、正面視で略円形状をなし、前面板１１の前面に設けられた摘み配置部材１１５内に配置されている。そして、この摘み部７の後面側には、摘み部７の回転と同時に回転される操作ギア１１６が設けられている。この操作ギア１１６の歯部１１７は、円形状をなす操作ギア１１６の円周上の一部に形成されている。なお、摘み部７と操作ギア１１６とは、連動軸１１８により相対的に固定されている（図６９参照）。また、操作ギア１１６の後面側には、操作ギア１１６の円周近傍に設けられた操作ピン１１９が設けられている。
【０２３７】
図１２に示すように、動作体１０７には、操作ピン１１９が係合するための上下に延びる長孔１２０が形成されている。操作者が摘み部７を回転操作させることで操作ギア１１６が周方向に回転するようになり、それに伴って操作ピン１１９の位置が操作ギア１１６の回転に伴って移動され、操作者の手動操作力が操作ピン１１９を介して長孔３２０から動作体１０７に伝達される。本変形例では、操作者が摘み部７を反時計回りに回転させることで、動作体１０７が係合方向（左方向）に移動するとともに、操作者が摘み部７を時計回りに回転させることで、動作体１０７が脱離方向（右方向）に移動するようになっている。
【０２３８】
また、施解錠装置１０６の取付金具６３の後部には、発電機４０（第２電力供給部，手動発電部）が取り付けられている（図６９参照）。この発電機４０は直流電流を発電するようになっている。そして、操作ギア１１６の上方位置には、発電機４０を駆動する発電ギア１２２が設けられている。なお、この発電ギア１２２は、発電機４０の駆動軸１２４に対して相対的に固定されており、発電ギア１２２は、駆動軸１２４を中心として回転されるようになっている。この発電ギア１２２には、その全周に歯部１２３が形成されており、操作ギア１１６の歯部１１７が係合されるようになっている。
【０２３９】
さらに、発電ギア１２２は、その左右端部に弾性を有する弾性部材として構成される左右一対のコイルバネ１２５が取り付けられている。なお、コイルバネ１２５の一端は、発電ギア１２２に取り付けられるとともに、コイルバネ１２５の他端は、取付金具６３に取り付けられている。また、この発電ギア１２２は、その周方向に回転自在になっているが、左右両コイルバネ１２５の付勢力によって、発電ギア１２２は、その周方向の定位置に安定的に保持されるようになっている。
【０２４０】
さらに、案内部１１４の右端側近傍には、回転軸１２６により回転自在となっている略円形状をなす回転体１２７（規制部材）が設けられている。この回転体１２７は、その一部が直線状に切り欠かれて切欠部１２８が形成されている。図１２に示すように、回転体１２７が回転され、その切欠部１２８が下方位置にあるときには、動作体１０７が最右方側の脱離位置まで移動できる。図１９に示すように、回転体１２７が回転され、その切欠部１２８が上方位置にあるときには、回転体１２７の一部が案内部１１４の内部に配置されるようになり、動作体１０７が回転体１２７に接触してその移動動作が規制（ロック）されるようになっている。
【０２４１】
図１２に示すように、回転体１２７の内部には、磁性を有する永久磁石５３（磁性部材）が設けられている。この永久磁石５３に外部から磁力が加わることで、回転体１２７が回転されるようになっている。なお、回転体１２７の切欠部１２８が下方位置にあるときに、永久磁石５３の磁極の向きは、左方側がＮ極で右方側がＳ極となっている。そして、回転体１２７の上方位置には、回転体１２７に磁力を加える電磁石５４（第２被供給部）が配置されている。この電磁石５４は、鉄心の周りに銅線により形成されたコイルを配置したものとなっている。
【０２４２】
図７０に示すように、発電機４０の２つの電極３３１、３３１からそれぞれ電線３５７、３３２が延びており、この２本の電線５３７、３３２を介して発電機４０が電磁石５４のコイルに接続されている。なお、この２本の電線３５７、３３２のうち、一方の電線３５７は、その途中で分岐され、かつ分岐後に再び合流されるように分離された分岐線３３２ａ、３３２ｂを有している。この２つの分岐線３３２ａ、３３２ｂには、それぞれの分岐線３３２ａ、３３２ｂを流れる電流の方向を一方向にする整流器３６１，３３６が設けられている。そして、分岐線３３２ａ、３３２ｂを流れる電流は、正方向または逆方向の異なる方向に流れるようになっている。なお、この分岐線３３２ａ、３３２ｂにより、正方向または逆方向に電流を流す少なくとも２系統が構成される。
【０２４３】
そのため、操作者が施錠操作を行う際には、特に認証装置３０５にて認証を行う必要はない。操作者が施錠操作を行う際には、先ず操作者は摘み部７を反時計回りに回転させる。そして、摘み部７の回転に伴い操作ギア３１６が回転されることで、動作体１０７が係合方向（左方向）に移動される。
【０２４４】
図１３に示すように、動作体１０７が所定量移動されたとき、即ち操作ギア１１６が所定量回転されたときに、操作ギア１１６の歯部３１７が発電ギア１２２の歯部１２３と係合し、互いに連係されるようになっている。そして、操作ギア１１６の反時計回りの回転とともに、発電ギア１２２が時計回りに回転される。この発電ギア１２２の回転とともに、発電ギア１２２の左右のコイルバネ１２５が延び始める。
【０２４５】
そして、操作者の手動操作により摘み部７を回転させて操作ギア１１６が回転され続けることで、摘み部７に加わる手動操作によるエネルギーがコイルバネ１２５を延ばすようになる。このコイルバネ１２５には、動作体１０７の移動に伴うストローク、即ち摘み部７の回転に伴うストロークの一部の動作が、コイルバネ１２５の延長という機械的エネルギーとして蓄えられる。
【０２４６】
図１４に示すように、さらに操作ギア１１６が所定量回転されると、操作ギア１１６の歯部１１７が発電ギア１２２の歯部１２３から外れ、互いにギア１１６，１２２の連係状態が断たれる。そして、コイルバネ１２５が有する復元力により一気にコイルバネ１２５が短縮し、コイルバネ１２５に蓄えられた機械的エネルギーが瞬時に放出されて発電ギア１２２を反時計回りに回転させる。
【０２４７】
また、発電機４０が発電した電力は、回転体１２７の上方位置に配置された電磁石５４に供給される。そして、通電された電磁石５４は一時的に磁化されて、電磁石５４の左端部がＮ極、右端部がＳ極となる磁場が発生する。このとき、電磁石５４が発生せる磁力により、回転体１２７の内部の永久磁石５３が磁力の影響を受けて、回転体１２７が回転軸１２６と中心として回転され、その向きが切り換わるようになっている。なお、回転体１２７は１８０°回転されることで、その向きが切り換わる。なお、動作体１０７は、回転体１２７の向きに係らず最左方側の係合位置まで移動できる。
【０２４８】
また、操作者が解錠操作を行う際に、分岐線３３２ｂを介して発電機４０から電磁石５４に電流が流れるようになっている。この解錠操作を行う際に分岐線３３２ｂを流れる電流を逆方向とすると、この逆方向の電流の流れは、スイッチ部３３３がＯＦＦ状態とされることで通電不能状態となっている。
【０２４９】
そのため、操作者が解錠を行う際には、先ず認証装置３０５にて認証を行う。操作者が暗証番号をテンキー９に暗証番号を入力して認証が許可された場合には、分岐線３３２ｂのスイッチ部３３３がＯＮ状態（通電可能状態）となる。その後、操作者は摘み部７を時計回りに回転させる。そして、摘み部７の回転に伴い操作ギア１１６が回転されることで、動作体１０７が脱離方向（右方向）に移動される。
【０２５０】
図１５に示すように、動作体１０７が所定量移動されたとき、即ち操作ギア１１６が所定量回転されたときに、操作ギア１１６の歯部１１７が発電ギア１２２の歯部１２３と係合し、互いにギア１１６，１２２が連係されるようになっている。そして、操作ギア１１６の時計回り回転とともに、発電ギア１２２が反時計回りに回転される。この発電ギア１２２の回転とともに、発電ギア１２２の左右のコイルバネ１２５が延び始める。
【０２５１】
そして、操作者の手動操作により摘み部７を回転させて操作ギア１１６が回転され続けることで、摘み部７に加わる手動操作によるエネルギーがコイルバネ１２５を延ばすようになる。このコイルバネ１２５には、動作体１０７の移動に伴うストローク、即ち摘み部７の回転に伴うストロークの一部の動作が、コイルバネ１２５の延長という機械的エネルギーとして蓄えられる。
【０２５２】
図１６に示すように、さらに操作ギア１１６が所定量回転されると、操作ギア１１６の歯部１１７が発電ギア１２２の歯部１２３から外れ、互いにギア１１６，１２２の連係状態が断たれる。そして、コイルバネ１２５が有する復元力により一気にコイルバネ１２５が短縮し、コイルバネ１２５に蓄えられた機械的エネルギーが瞬時に放出されて発電ギア１２２を時計回りに回転させる。この発電ギア１２２の回転によって発電機４０にて発電が行われる。
【０２５３】
即ち、発電機４０が発電した電力は、回転体１２７の上方位置に配置された電磁石５４に供給されるが、電磁石５４では、電磁石５４の左端部がＳ極、右端部がＮ極となる磁場が発生する。このように、摘み部７が係合方向に操作されたときの発電機４０の電極の極性と、摘み部７が脱離方向に操作されたときの発電機４０の電極の極性と、が互いに反転するようになっている。
【０２５４】
そして、電磁石５４が発生せる磁力により、回転体１２７の内部の永久磁石５３が磁力の影響を受け、回転体１２７が回転軸１２６と中心として回転され、回転体１２７の向きが切り換わった後は、回転体１２７の切欠部１２８が下方位置に配置され、動作体１０７が脱離位置まで移動可能となる。操作者は、摘み部７を時計回りに回転させて動作体１０７を脱離位置まで移動させることで、什器１と引出し２が開放可能となる。
【０２５５】
なお、操作者が解錠操作を行う際には、先ず認証装置３０５にて認証を行うようになっているが、認証装置３０５において、操作者が暗証番号をテンキー９に暗証番号を入力して認証が不可だった場合には、発電機４０と電磁石５４との間の分岐線３３２ｂのスイッチ部３３３がＯＦＦ状態（通電不能状態）となる（図７０参照）。この状態で操作者が摘み部７を回転させると、操作ギア１１６及び発電ギア１２２は回転されるようになっているが、スイッチ部３３３がＯＦＦ状態（通電不能状態）であるため、電磁石５４が通電されることはなく、回転体１２７が回転されないようになっている。
【０２５６】
例えば、図１９に示すように、認証装置３０５において認証が不可だった場合には、操作者が解錠を行う際に摘み部７を操作しても、動作体１０７の端部が回転体１２７に接触してその移動が規制されるようになっている。この状態では、動作体１０７の先端部は、什器１の側板１３４の受け座１０８（被係合部）に挿入されて係合された状態となっており、引出し２を開放することができない。
【０２５７】
以上、本変形例における什器１では、認証装置３０５は、認証動作とスイッチ部３３３に供給される電力のＯＮ／ＯＦＦ状態の切り換えのみを行うため、認証装置３０５が省電力で動作できるようになり、かつ物理的な動作を行う施解錠装置１０６に供給される電力は、認証装置３０５に供給される電力と別電源とすることができ、施解錠装置１０６に供給される充分な電力量を確保できるようになる。
【０２５８】
また、認証装置３０５は、スイッチ部３３３のＯＮ／ＯＦＦの制御を行い、回転体１２７による動作体１０７の動作の規制または非規制の少なくとも一方が許容されることで、動作体１０７の動作の規制または非規制を選択的に行うことができるとともに、動作体１０７が行う動作は、摘み部７の操作に応じて決定されるため、認証装置３０５若しくは別途の記憶装置により、動作体１０７の動作態様を記憶しておく必要がなく、什器１の省電力化を図ることができる。
【０２５９】
また、回転体１２７による動作体１０７の動作の規制または非規制の選択は、摘み部７の操作に応じて決定され、認証装置３０５は、発電機４０から電磁石５４に供給される電力の流れのいずれか一方の流れの許容の制御を行い、該電力の他方の流れは常に許容されるようになっているため、認証装置３０５は、動作体１０７の動作の規制または非規制のいずれか一方を制御するだけで済み、認証装置３０５若しくは別途の記憶装置により、回転体１２７の状態を記憶しておく必要がなく、什器１の省電力化を図ることができる。
【０２６０】
また、２系統の電力線（分岐線３３２ａ、３３２ｂ）と整流器３６１、３３６という簡素な構成で、動作体１０７の規制または非規制を行う施解錠装置３０６を構成でき、認証装置３０５は、１系統の分岐線５９のスイッチ部３３３を制御するだけで済み、認証装置３０５は、発電機４０から電磁石５４に供給される電力の流れの方向を把握する必要がなく、什器１の省電力化を図ることができる。
【０２６１】
以上、本発明の変形例を図面により説明してきたが、具体的な構成はこれら変形例に限られるものではなく、本発明の要旨を逸脱しない範囲における変更や追加があっても本発明に含まれる。
＜認証装置の変形例＞
【０２６２】
本発明に係る認証装置を実施するための形態の変形例１および２について以下に説明する。尚、前記実施例または変形例と同一構成部分に付いては同一符号を付して重複する説明を省略する。
＜認証装置の変形例１＞
【０２６３】
認証装置の変形例１につき、図７１から図７３を参照して説明する。本変形例１における認証装置４０５は、操作者が暗証番号を入力するためのテンキー９（入力部）と、暗証番号を設定（変更）する際に入力者が自身の入力した暗証番号が表示されるインジケータ１０４（表示部）と、パネル状をなす太陽電池３と、これらが接続された制御部（図示略）と、を備えている。なお、テンキー９と太陽電池３とは、引出し２の前面板１１の前面に設けられている（図７１及び図７２参照）。さらに、インジケータ１０４は、引出し２の前面板１１よりも内部側に設けられている（図７３）。
【０２６４】
次に、本変形例におけるインジケータ１０４について図７３、図７１０及び図７３を参照して詳述する。前述したように、インジケータ１０４は、引出し２の前面板１１よりも内部側に設けられている。引出し２を開閉する前面板１１の内部側は、正しい暗証番号を入力部に入力して認証装置４０５により許可された者のみがアクセスできる領域となっており、この領域にインジケータ１０４が設けられることで、引出し２を開放する前には、一切インジケータ１０４を見ることはできなくなり、ショルダーハッキングを防止することができ、かつ入力者が自身の入力した暗証番号が正しいか否かを確認する必要がある暗証番号を設定する際には、引出し２を開放した状態で行えばよく、不用意に他者に暗証番号を盗み見られることがなくなる。
【０２６５】
そして、インジケータ１０４が設けられる高さ位置は、前面板１１よりも低い位置に設けられており、引出し２を開放した状態であっても、インジケータ１０４が正面視で前面板１１により隠蔽されるようになっている。そのため、引出し２を開放した状態であっても、他者がインジケータ１０４を視認することが困難になり、不用意に他者に暗証番号を盗み見られることがなくなる。
【０２６６】
また、認証装置４０５の制御部（図示略）は、暗証番号を設定（変更）するときのみ、インジケータ１０４に暗証番号が表示されるようにし、それ以外の状態では、インジケータ１０４に暗証番号が非表示となる制御を行うようになっている。つまり、通常使用時において、前述した認証操作等がなされても、暗証番号は表示されておらず、引出し２を開放した状態であっても、非表示のままとなっている。そして、暗証番号を設定（変更）する際には、入力者が自身の入力した暗証番号が正しいか否かを確認する必要があるため、入力した暗証番号がインジケータ１０４に表示されるようになっている。
【０２６７】
このようにすることで、正しい暗証番号を入力部に入力して認証装置４０５により許可された者が引出し２を開放した状態で、他者が引出し２を使用（アクセス）しても、インジケータ１０４は非表示となっており、暗証番号を見ることができなくなり、かつ入力者が自身の入力した暗証番号が正しいか否かを確認する必要がある暗証番号を設定する際には、インジケータ１０４に暗証番号が表示されるため、不用意に他者に暗証番号を盗み見られることがなくなる。
【０２６８】
また、インジケータ１０４は、その表示面が上方を向くように引出し２の内部に配置されている。このようにすることで、引出し２を開放した状態であっても、引出し２を上方から覗き込まない限り、インジケータ１０４の表示面が視認できなくなり、不用意に他者に暗証番号を盗み見られることがなくなる。
＜認証装置の変形例２＞
【０２６９】
認証装置の変形例２につき、図７４を参照して説明する。図７４に示すように、引出し２の前面板１１の上面にインジケータ１０４を設けるようにし、什器１の天板４３８の前端縁でインジケータ１０４を隠蔽するようにしてもよい。このように、本発明における前面板１１よりも内部側とは、前面板１１により収納部である引出し２を閉塞した状態で見えなくなる位置を示している。そして、インジケータ１０４を前面板１１に設けるのみならず、引出し２を閉塞した状態で見えなくなり、引出し２を開放した状態で見える位置であれは、インジケータ１０４を引出し２のその他の部位に設けるようにしてもよい。
【０２７０】
以上、本発明の変形例を図面により説明してきたが、具体的な構成はこれら変形例に限られるものではなく、本発明の要旨を逸脱しない範囲における変更や追加があっても本発明に含まれる。
＜太陽電池の配設の変形例＞
【０２７１】
本発明に係る太陽電池の配設の変形例１〜５について以下に説明する。尚、前記実施例または変形例と同一構成部分に付いては同一符号を付して重複する説明を省略する。
＜太陽電池の配設の変形例１＞
【０２７２】
太陽電池の配設の変形例１につき、図７５および図７７を参照して説明する。図７５および図７７に示すように、太陽電池３は、側面視で三角形状をなし引出し２の前面板１１に配置される配置部５３７の表面に配設されている。そして、配置部５３７の下辺には、前述した取手部５０３’が設けられおり、使用者は、この配置部５３７の下辺を把持して引出し２を引き出すようになっている。
【０２７３】
このように、太陽電池３の受光面が上方に向くように傾斜されて前面板１１の前面に設けられることで、照明機器の光を用いて太陽電池３が効率的に発電を行うことができる。また、テンキー９及びインジケータ１０４が引出し２の正面側にいる操作者に向くようになるため、テンキー９を使用し易くなるとともに、インジケータ１０４を視認し易くなる。なお、引出し２の上端は、什器１の天板５３８と同じ高さ位置まで突出されており、前面板１１の前面の表面積を増やすことができ、かつ太陽電池３に天板５３８の前端縁の陰が生じることがなくなる。
【０２７４】
以上、本変形例における什器１では、引出し２の前面板１１に太陽電池３を設けることで、スライド移動される引出し２と什器１の他の部位との間に、認証装置４に電力を供給する配線等を設ける必要がなくなり、認証装置４を内蔵した引出し２を備える什器１の製造及びメンテナンスが容易になるとともに、受光面を引出し２の前面板１１から上方に向けることで、大きな受光面積を確保しつつ、屋内の天井に設置された照明機器から照射される光を受光し易くすることができ、かつ引出し２の前面板１１に太陽電池３が固定的に設けられることで、引出し２の開閉によっても太陽電池３がぐらつく虞がなく、長期間の使用に耐えられる什器１とすることができる。
【０２７５】
また、屋内の天井に設置された照明機器から照射される光は、深い角度で什器１に向かって入射されるため、太陽電池３の受光面が上方に向くように傾斜されて前面板１１の前面に設けられることで、照明機器の光の入射方向を太陽電池３の受光面に対して垂直に近付けることができ、照明機器の光を用いて太陽電池３が効率的に発電を行うことができる。
＜太陽電池の配設の変形例２＞
【０２７６】
太陽電池の配設の変形例２につき、図７８から図８２を参照して説明する。図７８のバリエーション１の引出し２では、その前面板１１の前面に太陽電池３の上辺が固着されており、この太陽電池３自体が、その受光面が上方に向くように傾斜されている。このようにすることで、前面板１１に前述のような配置部５３７を形成せずに済むようになる。
【０２７７】
図７９のバリエーション２の引出し２では、その前面板１１の前面が前方に膨出するように湾曲された湾曲面５３９となっており、この前面板１１の湾曲面５３９に沿って受光面が湾曲された太陽電池３が設けられている。このようにすることで、太陽電池３が前面板１１から大きく前方に突出されずに、その受光面の面積を拡大することができ、照明機器の光を用いて太陽電池３が効率的に発電を行うことができる。
【０２７８】
図８０のバリエーション３の引出し２では、その前面板１１の上端縁近傍が切り欠かれて傾斜面５４０が形成されており、この傾斜面５４０に太陽電池３が配置されている。このようにすることで、前面板１１を前方に突出させずに、受光面が上方を向く太陽電池３を設けることができる。
【０２７９】
図８１のバリエーション４の引出し２では、その前面板１１の上端縁が前方に突出され、前面板１１の上面の面積が増やされている。そして、この前面板１１の上面に、受光面が上方を向く太陽電池３が設けられる。屋内の天井に設置された照明機器から照射される光は、ほぼ垂直の深い角度で什器１に向かって入射されるため、太陽電池３の受光面が上方に向くように前面板１１の上面に設けられることで、照明機器の光の入射方向を太陽電池３の受光面に対して垂直に近付けることができ、照明機器の光を用いて太陽電池３が効率的に発電を行うことができる。
【０２８０】
図８２のバリエーション５の引出し２では、その前面板１１の側面及び上面に太陽電池３が設けられている。このように、前面板１１の上面及び側面を利用して太陽電池３を設けることで、前面板１１を正面視の見映えを向上させることができる。なお、前面板１１の上面または側面のいずれか一方に太陽電池３を設けるようにしてもよい。さらになお、前面板１１の上面、側面及び前面の全ての面に太陽電池３を設けるようにすれば、前面板１１の表面積を最大限利用して太陽電池３の受光面積を確保できる。
【０２８１】
なお、窓から室内に太陽光が入射された場合、この窓から室内に入射される太陽光は、屋内の天井に設置された照明機器から照射される光と比較して、浅い角度で什器１に向かって入射される場合が多く、この太陽光が什器１の前面板１１に設けられた太陽電池３の受光面により反射されて什器１の正面側にいる事務員の目線や事務作業を行う机上に入射されて事務作業の邪魔になることがある。しかしながら、本変形例における什器１では、この太陽光が什器１の前面板１１に設けられた太陽電池３の受光面により反射されても、太陽電池３の受光面が前面板１１から上方または側方の方向に向けられていることで、反射された太陽光が、什器１の正面側に着席している事務員の目線や事務作業を行う机上に入射され難くなり、反射された太陽光が、事務員の事務作業の邪魔になることを防ぐことができる。
＜太陽電池の配設の変形例３＞
【０２８２】
太陽電池の配設の変形例３につき、図８３から図８５を参照して説明する。図８４および図８５に示すように、太陽電池３は、引出し２の前面板１１に対して左右水平方向に延びた軸回りに１８０度回動可能なヒンジ部７２を介して、引出し２の前面板１１に配設されている配置部材７３上に配置されている。
【０２８３】
さらに、図８６に示すように、ヒンジ部７２は、長方形の板状に形成された配置部材７３の上方の長辺部の左右端に形成された軸受け部７４と什器１の引出しの前面板の上部に固定された軸受け部材７５と、軸受け部７４と軸受け部材７５とに支持され中空に形成された棒状のシャフト７６により構成されている。そして、軸受け部材７５と軸受け部７４とにシャフト７６がその径方向に摺動可能に挿入されることで、シャフト７６の中心軸を本発明の回動軸線として太陽電池３が回動可能になる。
【０２８４】
また、引出し２の前面板１１に固定された軸受け部材７５には、引出し２の内部に貫通する貫通孔７７が設けられている。中空状のシャフト７６の内部と貫通孔７７を介して電気配線７８が引出し内部に導かれて認証装置４に接続される。すなわち、シャフト７６の中空部分が本発明の太陽電池と電気機器とを接続する電気配線を収納する配線収納部を構成する。
【０２８５】
また、ヒンジ部７２の下方の前面板１１には、側面視で直角三角形をなし、その斜辺が太陽電池３の配置部材７３の底面に接触されるように形成された支持部７９が設けられている。この支持部７９は本発明の支持部を構成しており、太陽電池３の受光面が少なくとも什器１の前上方に向けた状態で支持され、この状態では例えば屋内の天井照明光を採り入れ易くなっている。なお、支持部７９は前面板１１から突出するように形成された１本または複数の棒状の部材でも、板状に形成された部材で構成されてもよいし、あるいは、太陽電池３の受光面が什器１の前上方に向けた状態で支持されるように、ヒンジ部に回動を所定角度で規制する規制部を設けても構わない。
【０２８６】
このように、太陽電池の受光面を机の天板と平行な位置まで回動自在とする回動手段を介して太陽電池３が什器に設けられるので、屋内の天井光Ｋ２が什器１の周辺にない場合であっても、ヒンジ部７２（回動手段）により机７０の天板７１と平行な位置まで太陽電池３の受光面を向けることで、机７０の天板上のデスクライトや液晶モニタ等の机上光Ｋ１を効率よく受光させて、太陽電池３に確実に発電をさせることができる。
【０２８７】
また、ヒンジ部７２（回動手段）により太陽電池３の受光面が机７０の天板７１の上方部に向くように回動させることで、太陽電池３の受光面を机上照明としてのデスクライトＳや液晶モニタ等の机上光Ｋ１に向けて、太陽電池３に光をより多く受光させることができる。
【０２８８】
また、ヒンジ部７２（回動手段）に形成された空間（配線収納部）に、太陽電池３と認証装置４（電気機器）とを接続する電気配線７８が収納されるので、回動される太陽電池３と引出しの間に、電気配線等を設ける必要がなくなり、太陽電池３を有する引出し２（収納部）を備える什器１の製造及びメンテナンスが容易になるとともに、太陽電池３を回動させて使用している際に電気配線７８が外部に露出されて切断される等の故障が生じることを防止できる。
【０２８９】
また、ヒンジ部７２（回動手段）により水平に延びる回動軸線を中心にして太陽電池３の受光面を回動させることで、デスクライトや液晶モニタ等が机７０の天板７１の奥方に置かれている場合であっても、什器１の上後方に太陽電池３の受光面を向けることで、太陽電池に机７０の上の机上光Ｋ１から発せられる光を、より多く受光させて発電をさせることができる。
【０２９０】
また、支持部７９によって太陽電池３の受光面が什器１の前上方に向けられた状態で支持されるので、什器１の上方周辺に屋内の天井照明等の光源がある場合には、太陽電池に屋内の天井光Ｋ２を効率的に受光させることができる。
【０２９１】
さらに、引出し２の前面板１１に中空状のヒンジ部７２を介して太陽電池３を設けることで、スライド移動される引出し２と什器１の他の部位との間に、太陽電池３から認証装置４に電力を供給する配線等を設ける必要がなくなり、認証装置４を内蔵した引出し２を備える什器１の製造及びメンテナンスが容易になるとともに、太陽電池３の受光面を引出し２の前面板１１の前面から回動させて、机７０の天板７１の上方部さらには什器１の後方に向けて、机７０の天板上、特に奥方に設置された照明機器から照射される机上光Ｋ１を受光し易くすることができる。
【０２９２】
また、屋内の天井や机上に設置された照明機器から照射される光は、深い角度で什器１に向かって入射されるが、回動手段により太陽電池３の受光面を回動可能にすることで、天井光Ｋ２や机上光Ｋ１の入射方向を太陽電池３の受光面に対して垂直に近づけることができ、天井光Ｋ２や机上光Ｋ１を用いて太陽電池３が効率的に発電を行うことができる。
【０２９３】
なお、窓から室内に太陽光が入射された場合、この入射される太陽光は、屋内の天井に設置された照明機器から照射される天井光Ｋ２と比較して、浅い角度で什器１に向かって入射される場合が多く、この太陽光が什器１の前面板１１に設けられた太陽電池３の受光面により反射されて什器１の正面側にいる事務員の目線や事務作業を行う机上に入射されて事務作業の邪魔になることがある。しかしながら、本変形例における什器１では、この太陽光が什器１の前面板１１に設けられた太陽電池３の受光面により反射されても、太陽電池３の受光面を前面板１１から上方または側方の任意の方向に向けられることで、反射された太陽光が、什器１の正面側に着席している事務員の目線や事務作業を行う机上に入射され難くなり、反射された太陽光が、事務員の事務作業の邪魔になることを防ぐことができる。
＜太陽電池の配設の変形例４＞
【０２９４】
太陽電池の配設の変形例４につき、図８７および図８８を参照して説明する。図８７に示すように、本変形例の太陽電池３は、側面視で底面が円弧凸形状を成すスライド移動可能な配置部材８０の上面に配設されている。この配置部材８０は、正面視で太陽電池３とほぼ等しい大きさの長方形に形成されているとともに、側面視で略９０度の円弧凸形状の底面を有している。また、配置部材８０の底面には、円弧凸形状の底面の周方向に形成された直線状の係合孔８１が平行に２つ形成されている（図８８参照）。さらに、配置部材８０の内部は空洞になっており、太陽電池３から錠装置８の認証装置４に電力を供給するための電気配線７８の一部を収納できるようになっている。
【０２９５】
また、引出し２の前面板１１の上部は、前板面と天板面との交差線を中心にして円弧状に切り欠かれたように凹形状に加工されており、円弧状の湾曲面を有し配置部材８０が配置される基台部８２が設けられている。引出し２側の基台部８２の上面には、配置部材８０の係合孔８１に対応する位置に、配置部材８０の係合孔８１に係合され棒状に突出形成された係合棒８３が２つ設けられている。この係合棒８３は、係合孔８１に沿って摺動可能になっており、前板面と天板面との仮想の交差線９６を回動軸線として配置部材８０が回動される。係合棒８３と係合孔８１により本発明の回動手段が構成される。
【０２９６】
また、２つの係合棒８３の一方には、その上面から引出し２の内部にかけて貫通する貫通孔８４が設けられている。この貫通孔８４を介して配置部材８０の太陽電池３から引出し２内部の認証装置４に電力を供給する電気配線７８を導くことができるようになっている。
【０２９７】
なお、配置部材８０の係合孔８１と基台部８２の係合棒８３との接触面に、導電体をそれぞれ配置して、この導電体を端子として、太陽電池３から認証装置４に電力が供給されるように構成してもよい。このようにすることで、配置部材８０と基台部８２との間の電気配線を省略でき、配置部材８０のスライド移動により電気配線が切れて故障を生じることを防止できる。
【０２９８】
これにより、太陽電池３が配置された配置部材８０を、什器１の前板面と天板面との交差部を水平な回動軸線９６として円弧状に什器１の手前側にスライド移動させて、太陽電池３の受光面を什器１の後方に向けて回動できるので、什器１が机７０の天板７１の下方や横脇に配置使用されて、天井側の照明機器の天井光Ｋ２を受光できない場合であっても、机７０の上に置かれた机上照明としてのデスクライトＳや液晶ディスプレイなどに太陽電池３の受光面を向けて、デスクライトＳ等を光源として用いて太陽電池３で効率的に発電を行うことができる。
【０２９９】
また、配置部材８０をスライドさせずに基台部８２内に収納した場合には、基台部８２により、太陽電池３の受光面が少なくとも什器１の前上方に向けられた状態で支持され、本発明の支持部が構成されるので、什器１の上方周辺に屋内の天井照明等の光源がある場合には、支持部により太陽電池３の受光面を什器１の前上方に向けておくことで、太陽電池３に屋内の天井光Ｋ２を効率的に受光させることができる。
＜太陽電池の配設の変形例５＞
【０３００】
太陽電池の配設の変形例５につき、図８９および図９０を参照して説明する。図８９に示すように、本変形例のヒンジ部８５は、什器１の引出し２の前面板１１の上部に軸方向に離間して固定された２つの軸受け部材８６と、これ等の軸受け部材８６，８６の間に配置され中空状に形成されるとともに互いに連通した長い長管部８７と短い短管部８８によりＴ字状に形成されたＴ字管８９と、配置部材９２の上方の長辺の中央部に形成された軸受け孔９３と、２つの軸受け部材８６，８６にそれぞれ支持され中空状に形成された棒状の第１シャフト９０，９０と、Ｔ字管８９の短管部８８と軸受け孔９３とに支持される中空状の第２シャフト９１とにより構成されている。なお、短管部８８および第２シャフト９１は、机７０の天板７１の高さに応じて太陽電池３の受光面の高さを適宜調整できるように、伸縮自在に構成されてもよい。
【０３０１】
そして、２つの軸受け部材８６，８６とＴ字管８９の長管部８７の内部に第１シャフト９０，９０が周方向に摺動可能に挿入されるとともに、軸受け孔９３とＴ字管８９の短管部８８とに架けて第２シャフト９１が周方向に摺動可能に挿入される。これにより、太陽電池３が、第１シャフト９０の中心を本発明の水平な回動軸として回動可能になるとともに、第２シャフト９１の中心を本発明の第２の回動軸線として回動可能になる（図９０参照）。
【０３０２】
また、Ｔ字管８９の短管部８８と長管部８７の接合部には、これらの内部空間が連通するように連通部９４が形成されている。さらに、引出し２の前面板１１および前面板１１に固定された軸受け部材８６には、引出し２の内部に貫通する貫通孔７７が設けられている。そして、中空状の第１および第２シャフト９０、９１の内部と貫通孔７７を介して電気配線７８が引出し２の内部に導かれて認証装置４に接続される。すなわち、第１および第２シャフト９０、９１の中空部分が本発明の太陽電池と電気機器とを接続する電気配線を収納する配線収納部を構成する。
【０３０３】
また、ヒンジ部８５の下方側には、側面視で直角三角形をなし、その斜辺が太陽電池３の配置部材９２の底面に接触されるように形成された支持部７９が設けられており、この支持部７９は本発明の支持部を構成しており、太陽電池３の受光面が少なくとも什器１の前上方に向けた状態で支持される。なお、支持部７９は前面板１１から突出するように形成された１本または複数の棒状の部材でも、板状に形成された部材で構成されても構わない。
【０３０４】
このようにすることで、ヒンジ部８５によって、太陽電池３は、引出し２の前面板１１に互いに直交する第１、第２回動軸線Ｌ１，Ｌ２を中心として回動可能に連結される。第１回動軸線Ｌ１は、前面板１１と平行であり、前面板１１の左右方向に延びている。また、第２回動軸線Ｌ２は、第１回動軸線Ｌ１と直交するように配置されている。なお、第２回動軸線Ｌ２は、第１回動軸線Ｌ１と交差する方向に延びている限り、第１回動軸線Ｌ１から離して配置してもよい。また、第２回動軸線Ｌ２は、第１回動軸線Ｌ１と所定の角度で交差するようにしてもよい。
【０３０５】
これにより、第２の回動軸線を中心にして、太陽電池３の受光面が机の天板の側方にも向けられることで、デスクライトや液晶モニタ等の光源が什器１とは反対側の天板上にある場合であっても、回動手段により光源に対して太陽電池３の受光面を向けて、太陽電池３に机上光Ｋ１をより多く受光させて発電をさせることができる。
【０３０６】
以上、本発明の変形例を図面により説明してきたが、具体的な構成はこれら変形例に限られるものではなく、本発明の要旨を逸脱しない範囲における変更や追加があっても本発明に含まれる。
【０３０７】
例えば、前記変形例３から５では、引出し２に設けられた認証装置４の電源として太陽電池３を用いているが、太陽電池３にて発電した電力を施解錠装置６にも供給して、認証装置４および施解錠装置６の双方の電力を太陽電池３の発電で賄うようにしてもよい。
【０３０８】
また、前記変形例では、平面状の太陽電池３を用いているが、太陽電池３の受光面が凹状または凸状に湾曲された太陽電池を用いてもよい。このようにすることで、太陽電池３が前面板１１から大きく前方に突出されずに、その受光面の面積を拡大することができ、天井光Ｋ２や机上光Ｋ１を用いて太陽電池が効率的に発電を行うことができる。
【０３０９】
また、前記変形例では、太陽電池３の受光面を引出し２の前面板１１に対して９０度以上回動可能に構成しているが、太陽電池３の受光面を机の天板面と平行になるように回動させる、すなわち、前面板１１に対して９０度まで回動可能に構成してもよい。これにより、机上の光源から広がる机上光Ｋ１を太陽電池３が効率的に受光することができる。
【０３１０】
また、前記変形例では、太陽電池３を引出し２の前面板１１にヒンジ部７２、８５を介して固定しているが、太陽電池３が什器１の収納部の前面部に配置される限り、例えば、ヒンジ部を什器１の側面板９５などの引出し２の前面板１１以外の所定部材に固定するようにしてもよい。
【符号の説明】
【０３１１】
１，１ａ          什器
２                引出し
３                太陽電池（第１電力供給部）
４                認証装置（認証手段）
６                施解錠装置
７                摘み部（操作部材）
８                錠装置
９                テンキー
１１              前面板
１３              動作体（動作部材）
１７              受け座
１９              回転体（規制部材）
２１              操作ギア
２２              操作ピン
２３              操作孔
２９              ロータリーダンパ
３０              ダンパーギア
３２              被係合ギア
３３              スイッチ部
３４              被係合片
３５              制御部
３６              係合片
４０              発電機（第２電力供給部，手動発電部）
４４              ピニオンギア
４５              伝達ギア
４７              発電ギア
４８              コイルバネ
５２              切欠部
５３              永久磁石
５４              電磁石
６１，６２        整流器
６４              磁束
７０              机
７１              天板
７２，８５        ヒンジ部
７４              軸受け部
７５              軸受け部材
７６              シャフト
７７              貫通孔
８９              Ｔ字管
９０              第１シャフト
９１              第２シャフト
１０４            インジケータ（表示部）
１０６，１０６’  施解錠装置
１０７            動作体（動作部材）
１１６            操作ギア
１２２            発電ギア（エネルギー蓄積手段）
１２５            コイルバネ（エネルギー蓄積手段）
１２７            回転体（作動部，規制部材）
１２８            切欠部，第１切欠部
１２８’          第２切欠部
１３４            肉抜部（重心修正手段）
２０６，２０６ａ  発電装置
２０６ｆ          施解錠装置
２０７            動作体（動作部材）
２１４            案内部
２１６            係合部材
２２３，２２４    発電コイル
２２５            コイルバネ（エネルギー蓄積手段）
２２７            回転体（規制部材）
２４２            操作ギア
２４４            軸（操作ギア）
２４６            第１圧電素子
２４７            第２圧電素子
２５０            ピン部材（殴打部材）
２５１            回転体（規制部材）
２６５            操作ギア
２６９            発電ギア（エネルギー蓄積手段，可動部材）
２７２            フック（係合部材）
２７４            操作ギア
２７７            発電ギア（エネルギー蓄積手段）
２７９            回転蓄積装置（エネルギー蓄積手段）
２８０            回転体（作動部，規制部材）
３０５            認証装置（認証手段）
３０６            施解錠装置
３０７            動作体（動作部材）
３２７            回転体（規制部材）
３３０            電磁石（第２被供給部）
３３３            スイッチ部
３３５            制御部（第１被供給部）
３３６ａ          整流器
３３６ｂ          整流器
４０５            認証装置（認証手段）
４０６            施解錠装置
５０５            認証装置（認証手段）
５０６            施解錠装置
【図１】
2014091913.tif 000003
【図２】
2014091913.tif 000004
【図３】
2014091913.tif 000005
【図４】
2014091913.tif 000006
【図５】
2014091913.tif 000007
【図６】
2014091913.tif 000008
【図７】
2014091913.tif 000009
【図８】
2014091913.tif 000010
【図９】
2014091913.tif 000011
【図１０】
2014091913.tif 000012
【図１１】
2014091913.tif 000013
【図１２】
2014091913.tif 000014
【図１３】
2014091913.tif 000015
【図１４】
2014091913.tif 000016
【図１５】
2014091913.tif 000017
【図１６】
2014091913.tif 000018
【図１７】
2014091913.tif 000019
【図１８】
2014091913.tif 000020
【図１９】
2014091913.tif 000021
【図２０】
2014091913.tif 000022
【図２１】
2014091913.tif 000023
【図２２】
2014091913.tif 000024
【図２３】
2014091913.tif 000025
【図２４】
2014091913.tif 000026
【図２５】
2014091913.tif 000027
【図２６】
2014091913.tif 000028
【図２７】
2014091913.tif 000029
【図２８】
2014091913.tif 000030
【図２９】
2014091913.tif 000031
【図３０】
2014091913.tif 000032
【図３１】
2014091913.tif 000033
【図３２】
2014091913.tif 000034
【図３３】
2014091913.tif 000035
【図３４】
2014091913.tif 000036
【図３５】
2014091913.tif 000037
【図３６】
2014091913.tif 000038
【図３７】
2014091913.tif 000039
【図３８】
2014091913.tif 000040
【図３９】
2014091913.tif 000041
【図４０】
2014091913.tif 000042
【図４１】
2014091913.tif 000043
【図４２】
2014091913.tif 000044
【図４３】
2014091913.tif 000045
【図４４】
2014091913.tif 000046
【図４５】
2014091913.tif 000047
【図４６】
2014091913.tif 000048
【図４７】
2014091913.tif 000049
【図４８】
2014091913.tif 000050
【図４９】
2014091913.tif 000051
【図５０】
2014091913.tif 000052
【図５１】
2014091913.tif 000053
【図５２】
2014091913.tif 000054
【図５３】
2014091913.tif 000055
【図５４】
2014091913.tif 000056
【図５５】
2014091913.tif 000057
【図５６】
2014091913.tif 000058
【図５７】
2014091913.tif 000059
【図５８】
2014091913.tif 000060
【図５９】
2014091913.tif 000061
【図６０】
2014091913.tif 000062
【図６１】
2014091913.tif 000063
【図６２】
2014091913.tif 000064
【図６３】
2014091913.tif 000065
【図６４】
2014091913.tif 000066
【図６５】
2014091913.tif 000067
【図６６】
2014091913.tif 000068
【図６７】
2014091913.tif 000069
【図６８】
2014091913.tif 000070
【図６９】
2014091913.tif 000071
【図７０】
2014091913.tif 000072
【図７１】
2014091913.tif 000073
【図７２】
2014091913.tif 000074
【図７３】
2014091913.tif 000075
【図７４】
2014091913.tif 000076
【図７５】
2014091913.tif 000077
【図７６】
2014091913.tif 000078
【図７７】
2014091913.tif 000079
【図７８】
2014091913.tif 000080
【図７９】
2014091913.tif 000081
【図８０】
2014091913.tif 000082
【図８１】
2014091913.tif 000083
【図８２】
2014091913.tif 000084
【図８３】
2014091913.tif 000085
【図８４】
2014091913.tif 000086
【図８５】
2014091913.tif 000087
【図８６】
2014091913.tif 000088
【図８７】
2014091913.tif 000089
【図８８】
2014091913.tif 000090
【図８９】
2014091913.tif 000091
【図９０】
2014091913.tif 000092